(57)【要約】  本開示は、情報伝送方法、端末及びネットワーク機器を提供する。その方法において、時間領域伝送ユニット内で非オーバーラップの候補物理ダウンリンク共有チャネルＰＤＳＣＨ機会を取得することと、候補物理ダウンリンク共有チャネルＰＤＳＣＨ機会に基づいて、時間領域伝送ユニットに対応するハイブリッド自動再送要求の応答情報ＨＡＲＱ−ＡＣＫコードブックを決定することと、ＨＡＲＱ−ＡＣＫコードブックを送信することとを含む。ここで、時間領域伝送ユニット内の少なくとも１つの候補物理ダウンリンク共有チャネルＰＤＳＣＨ機会は、少なくとも２つのＨＡＲＱ−ＡＣＫ情報に対応する。【選択図】図５
2021524202.tif 000002
【特許請求の範囲】
【請求項１】
端末側に応用される情報伝送方法であって、
時間領域伝送ユニット内で非オーバーラップの候補物理ダウンリンク共有チャネルＰＤＳＣＨ機会を取得し、
前記候補物理ダウンリンク共有チャネルＰＤＳＣＨ機会に基づいて、前記時間領域伝送ユニットに対応するハイブリッド自動再送要求の応答情報ＨＡＲＱ−ＡＣＫコードブックを決定し、ここで、前記時間領域伝送ユニット内の少なくとも１つの前記候補物理ダウンリンク共有チャネルＰＤＳＣＨ機会が少なくとも２つのＨＡＲＱ−ＡＣＫ情報に対応し、
前記応答情報ＨＡＲＱ−ＡＣＫコードブックを送信する、情報伝送方法。
【請求項２】
前記応答情報ＨＡＲＱ−ＡＣＫコードブックは、ｎ＊Ｍ個のＨＡＲＱ−ＡＣＫ情報を含み、ここで、Ｍは、前記時間領域伝送ユニット内で非オーバーラップの候補物理ダウンリンク共有チャネルＰＤＳＣＨ機会の数であり、ｎは前記時間領域伝送ユニット内の各候補物理ダウンリンク共有チャネルＰＤＳＣＨ機会に対応するＨＡＲＱ−ＡＣＫ情報の数である、請求項１に記載の情報伝送方法。
【請求項３】
ｎは予め定義された数値であり、又は、
ｎは端末能力に応じて決定される数値であり、又は、
ｎは前記時間領域伝送ユニット内でＰＤＳＣＨ伝送位置を最も多く含むターゲット候補物理ダウンリンク共有チャネルＰＤＳＣＨ機会に含まれるＰＤＳＣＨ伝送位置の数である、請求項２に記載の情報伝送方法。
【請求項４】
前記応答情報ＨＡＲＱ−ＡＣＫコードブックは、
【数１】
2021524202.tif 000011
個のＨＡＲＱ−ＡＣＫ情報を含み、ここで、Ｍは、前記時間領域伝送ユニット内で非オーバーラップの候補物理ダウンリンク共有チャネルＰＤＳＣＨ機会の数であり、ｎｍは、ｍ番目の候補物理ダウンリンク共有チャネルＰＤＳＣＨ機会に対応するＨＡＲＱ−ＡＣＫ情報の数である、請求項１に記載の情報伝送方法。
【請求項５】
ｎｍは、前記ｍ番目の候補物理ダウンリンク共有チャネルＰＤＳＣＨ機会に含まれるＰＤＳＣＨ伝送位置の数である、請求項４に記載の情報伝送方法。
【請求項６】
前記ｍ番目の候補物理ダウンリンク共有チャネルＰＤＳＣＨ機会に含まれるＰＤＳＣＨ伝送位置の数が１より大きくなると、前記ｎｍは、第１の値であり、
前記ｍ番目の候補物理ダウンリンク共有チャネルＰＤＳＣＨ機会に含まれるＰＤＳＣＨ伝送位置の数が１であると、前記ｎｍは、第２の値である、請求項４に記載の情報伝送方法。
【請求項７】
前記第１の値と第２の値は、予め定義され、又は、前記第１の値は、端末能力に応じて決定される、請求項６に記載の情報伝送方法。
【請求項８】
前記ＨＡＲＱ−ＡＣＫ情報は、Ｎ（正の整数）ビットを含む、請求項１に記載の情報伝送方法。
【請求項９】
前記応答情報ＨＡＲＱ−ＡＣＫコードブック内のＨＡＲＱ−ＡＣＫ情報の位置は、前記ＨＡＲＱ−ＡＣＫ情報に対応する候補物理ダウンリンク共有チャネルＰＤＳＣＨ機会の時間領域位置に基づいて決定される、請求項１に記載の情報伝送方法。
【請求項１０】
前記時間領域伝送ユニットは、少なくとも１つのスロットを含む、請求項１記載の情報伝送方法。
【請求項１１】
端末であって、
時間領域伝送ユニット内で非オーバーラップの候補物理ダウンリンク共有チャネルＰＤＳＣＨ機会を取得する取得モジュールと、
前記候補物理ダウンリンク共有チャネルＰＤＳＣＨ機会に基づいて、前記時間領域伝送ユニットに対応するハイブリッド自動再送要求の応答情報ＨＡＲＱ−ＡＣＫコードブックを決定する（ここで、前記時間領域伝送ユニット内の少なくとも１つの前記候補物理ダウンリンク共有チャネルＰＤＳＣＨ機会が少なくとも２つのＨＡＲＱ−ＡＣＫ情報に対応する）決定モジュールと、
前記応答情報ＨＡＲＱ−ＡＣＫコードブックを送信する送信モジュールとを含む、端末。
【請求項１２】
プロセッサと、メモリと、前記メモリに格納されて前記プロセッサで動作可能なプログラムを含む端末であって、
前記プログラムが前記プロセッサによって実行されると、請求項１〜１０のいずれか一項に記載の情報伝送方法が実現される、端末。
【請求項１３】
ネットワーク機器側に応用される情報伝送方法であって、
時間領域伝送ユニット内で非オーバーラップの候補物理ダウンリンク共有チャネルＰＤＳＣＨ機会に対応する応答情報ＨＡＲＱ−ＡＣＫコードブックを受信し、ここで、前記時間領域伝送ユニット内の少なくとも１つの前記候補物理ダウンリンク共有チャネルＰＤＳＣＨ機会が少なくとも２つのＨＡＲＱ−ＡＣＫ情報に対応する、情報伝送方法。
【請求項１４】
前記応答情報ＨＡＲＱ−ＡＣＫコードブックは、ｎ＊Ｍ個のＨＡＲＱ−ＡＣＫ情報を含み、ここで、Ｍは、前記時間領域伝送ユニット内で非オーバーラップの候補物理ダウンリンク共有チャネルＰＤＳＣＨ機会の数であり、ｎは前記時間領域伝送ユニット内の各候補物理ダウンリンク共有チャネルＰＤＳＣＨ機会に対応するＨＡＲＱ−ＡＣＫ情報の数である、請求項１３に記載の情報伝送方法。
【請求項１５】
前記応答情報ＨＡＲＱ−ＡＣＫコードブックは、
【数２】
2021524202.tif 000012
個のＨＡＲＱ−ＡＣＫ情報を含み、ここで、Ｍは、前記時間領域伝送ユニット内で非オーバーラップの候補物理ダウンリンク共有チャネルＰＤＳＣＨ機会の数であり、ｎｍは、ｍ番目の候補物理ダウンリンク共有チャネルＰＤＳＣＨ機会に対応するＨＡＲＱ−ＡＣＫ情報の数である、請求項１３に記載の情報伝送方法。
【請求項１６】
前記ＨＡＲＱ−ＡＣＫ情報は、Ｎ（正の整数）ビットを含む、請求項１３に記載の情報伝送方法。
【請求項１７】
前記応答情報ＨＡＲＱ−ＡＣＫコードブック内のＨＡＲＱ−ＡＣＫ情報の位置は、前記ＨＡＲＱ−ＡＣＫ情報に対応する候補物理ダウンリンク共有チャネルＰＤＳＣＨ機会の時間領域位置に基づいて決定される、請求項１３に記載の情報伝送方法。
【請求項１８】
前記時間領域伝送ユニットは、少なくとも１つのスロットを含む、請求項１３記載の情報伝送方法。
【請求項１９】
ネットワーク機器であって、
時間領域伝送ユニット内で非オーバーラップの候補物理ダウンリンク共有チャネルＰＤＳＣＨ機会に対応する応答情報ＨＡＲＱ−ＡＣＫコードブックを受信する受信モジュールを含み、ここで、前記時間領域伝送ユニット内の少なくとも１つの前記候補物理ダウンリンク共有チャネルＰＤＳＣＨ機会が少なくとも２つのＨＡＲＱ−ＡＣＫ情報に対応する、ネットワーク機器。
【請求項２０】
プロセッサと、メモリと、前記メモリに格納されて前記プロセッサで動作可能なプログラムを含むネットワーク機器であって、
前記プロセッサが前記プログラムを実行すると、請求項１３〜１８のいずれか一項に記載の情報伝送方法が実現される、ネットワーク機器。
【請求項２１】
プログラムが格納されているコンピュータ読み取り可能な記憶媒体であって、
前記プログラムがプロセッサによって実行されると、請求項１〜１０，１３〜１８のいずれか一項に記載の情報伝送方法が実現される、コンピュータ読み取り可能な記憶媒体。
【発明の詳細な説明】
【技術分野】
【０００１】
（関連出願の相互参照）  
本願は、２０１８年５月１８日に中国特許庁に提出された中国特許出願２０１８１０４７９４１４．５の優先権を主張し、その全ての内容が援用によりここに取り込まれる。
本開示は、通信技術分野に係り、特に情報伝送方法、端末及びネットワーク機器に係る。
【背景技術】
【０００２】
５Ｇ（５ｔｈ  Ｇｅｎｅｒａｔｉｏｎ）移動通信システムは、より多様なシナリオやトラフィックのニーズに対応する必要がある。ＮＲ（Ｎｅｗ  Ｒａｄｉｏ）の主なシナリオは、モバイルブロードバンドエンハンスメントｅＭＢＢ（ｅｎｈａｎｃｅｄ  Ｍｏｂｉｌｅ  Ｂｒｏａｄｂａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎｓ）、超高信頼超低遅延通信ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）を含む。システムには、これらのシナリオから高信頼性、低遅延、広帯域幅及び広いカバレッジなどが求められる。
【０００３】
端末は、１つのアップリンク伝送チャネルに、物理アップリンク制御チャネルＰＵＣＣＨ（Ｐｈｙｓｉｃａｌ  Ｕｐｌｉｎｋ  Ｃｏｎｔｒｏｌ  Ｃｈａｎｎｅｌ）又は物理アップリンク共有チャネルＰＵＳＣＨ（Ｐｈｙｓｉｃａｌ  Ｕｐｌｉｎｋ  Ｓｈａｒｅｄ  Ｃｈａｎｎｅｌ）などの複数のダウンリンクデータチャネルに対応するハイブリッド自動再送要求の応答情報ＨＡＲＱ−ＡＣＫ（Ｈｙｂｒｉｄ  Ａｕｔｏｍａｔｉｃ  Ｒｅｐｅａｔ  Ｒｅｑｕｅｓｔ  ＡＣＫ）を多重化することができる。これらのＨＡＲＱ−ＡＣＫは、ＰＵＣＣＨ又はＰＵＳＣＨで伝送されるＨＡＲＱ−ＡＣＫコードブック（ｃｏｄｅｂｏｏｋ）を構成する。
【０００４】
ここで、ＨＡＲＱ−ＡＣＫコードブックの決定方式には、動的と半静的の２種類がある。ここで、端末が動的なＨＡＲＱ−ＡＣＫコードブックを配置した場合、動的ＨＡＲＱ−ＡＣＫコードブックに対応するスロット（ｓｌｏｔ）が一定であるものの、各スロット内の物理ダウンリンク共有チャネルＰＤＳＣＨ（Ｐｈｙｓｉｃａｌ  Ｄｏｗｎｌｉｎｋ  Ｓｈａｒｅｄ  Ｃｈａｎｎｅｌ）受信は、動的に変化する。端末は、受信したダウンリンクスケジューリングシグナリング（ＤＬ  ｇｒａｎｔ）に基づいてＰＤＳＣＨの受信の数を決定し、それによりＨＡＲＱ−ＡＣＫコードブックを決定する。従って、ＨＡＲＱ−ＡＣＫコードブックのサイズは、動的に変化する。一方、端末が半静的ＨＡＲＱ−ＡＣＫコードブックを配置した場合、半静的ＨＡＲＱ−ＡＣＫコードブックに対応するスロット、及び、各スロット内の候補物理ダウンリンク共有チャネルＰＤＳＣＨ（Ｐｈｙｓｉｃａｌ  Ｄｏｗｎｌｉｎｋ  Ｓｈａｒｅｄ  Ｃｈａｎｎｅｌ）機会の数は、一定である。ここで、端末は、対応するスロット内の候補ＰＤＳＣＨ機会のそれぞれに基づいて、対応するＨＡＲＱ−ＡＣＫコードブックを決定する。図１に示すように、該スロットは、候補ＰＤＳＣＨ機会１、候補ＰＤＳＣＨ機会２及び候補ＰＤＳＣＨ機会３の３つの候補ＰＤＳＣＨ機会を含む。通常、各候補ＰＤＳＣＨ機会は、１つ又は複数の可能なＰＤＳＣＨ伝送位置を含み、例えば、候補ＰＤＳＣＨ機会１は、３つの可能なＰＤＳＣＨ伝送位置を含み、候補ＰＤＳＣＨ機会２は、２つの可能なＰＤＳＣＨ伝送位置を含み、候補ＰＤＳＣＨ機会３は、１つの可能なＰＤＳＣＨ伝送位置を含む。１つの候補ＰＤＳＣＨ機会に含まれる全てのＰＤＳＣＨ伝送位置は、１つのＨＡＲＱ−ＡＣＫ情報に対応する。即ち、各候補ＰＤＳＣＨ機会が１つのＨＡＲＱ−ＡＣＫ情報に対応する。例えば、候補ＰＤＳＣＨ機会１は、ＡＣＫ／ＮＡＣＫ１に対応し、候補ＰＤＳＣＨ機会２は、ＡＣＫ／ＮＡＣＫ２に対応し、候補ＰＤＳＣＨ機会３は、ＡＣＫ／ＮＡＣＫ３に対応する。
【０００５】
異なるトラフィックをサポートできる端末の場合、ネットワーク機器が異なるトラフィックの伝送を同じスロット内で動的にスケジューリングする可能性があり、異なるトラフィックの伝送リソースが時間的にオーバーラップする。例えば、図２に示されるように、端末は、時間領域でオーバーラップするものの、周波数領域で互いに独立するｅＭＢＢのＰＤＳＣＨ及びＵＲＬＬＣのＰＤＳＣＨの同時受信をサポートすることができる。ｅＭＢＢのＰＤＳＣＨとＵＲＬＬＣのＰＤＳＣＨが時間領域でオーバーラップするため、図３に示すように、ｅＭＢＢのＰＤＳＣＨとＵＲＬＬＣのＰＤＳＣＨは、同じ候補ＰＤＳＣＨ機会に対応する可能性がある。端末は、該スロットのＨＡＲＱ−ＡＣＫコードブックを決定する際、候補ＰＤＳＣＨ機会によって決定されたＨＡＲＱ−ＡＣＫコードブックに１つのトラフィックのＰＤＳＣＨのＡＣＫ／ＮＡＣＫしか含むことができず、受信した複数のトラフィック伝送を同時にフィードバックすることができない。
【発明の概要】
【発明が解決しようとする課題】
【０００６】
本開示の実施例は、受信した複数のトラフィック伝送を端末が同時にフィードバックすることができないという問題を解決するために、情報伝送方法、端末及びネットワーク機器を提供する。
【課題を解決するための手段】
【０００７】
第１態様として、本開示の実施例は、端末側に応用される情報伝送方法を提供し、時間領域伝送ユニット内で非オーバーラップの候補物理ダウンリンク共有チャネルＰＤＳＣＨ機会を取得することと、候補ＰＤＳＣＨ機会に基づいて、時間領域伝送ユニットに対応するハイブリッド自動再送要求の応答情報ＨＡＲＱ−ＡＣＫコードブックを決定する（ここで、時間領域伝送ユニット内の少なくとも１つの候補ＰＤＳＣＨ機会が少なくとも２つのＨＡＲＱ−ＡＣＫ情報に対応する）ことと、ＨＡＲＱ−ＡＣＫコードブックを送信することとを含む。
【０００８】
第２態様として、本開示の実施例は、端末を更に提供する。該端末は、時間領域伝送ユニット内で非オーバーラップの候補物理ダウンリンク共有チャネルＰＤＳＣＨ機会を取得する取得モジュールと、候補ＰＤＳＣＨ機会に基づいて、時間領域伝送ユニットに対応するハイブリッド自動再送要求の応答情報ＨＡＲＱ−ＡＣＫコードブックを決定する（ここで、時間領域伝送ユニット内の少なくとも１つの候補ＰＤＳＣＨ機会が少なくとも２つのＨＡＲＱ−ＡＣＫ情報に対応する）決定モジュールと、ＨＡＲＱ−ＡＣＫコードブックを送信する送信モジュールとを含む。
【０００９】
第３態様として、本開示の実施例は、プロセッサと、メモリと、メモリに格納されてプロセッサで動作可能なプログラムを含む端末を提供し、プログラムがプロセッサによって実行されると、上記の情報伝送方法が実現される。
【００１０】
第４態様として、本開示の実施例は、ネットワーク機器側に応用される情報伝送方法を提供し、時間領域伝送ユニット内で非オーバーラップの候補物理ダウンリンク共有チャネルＰＤＳＣＨ機会に対応するＨＡＲＱ−ＡＣＫコードブックを受信することを含み、ここで、時間領域伝送ユニット内の少なくとも１つの候補ＰＤＳＣＨ機会が少なくとも２つのＨＡＲＱ−ＡＣＫ情報に対応する。
【００１１】
第５態様として、本開示の実施例は、ネットワーク機器を提供し、時間領域伝送ユニット内で非オーバーラップの候補物理ダウンリンク共有チャネルＰＤＳＣＨ機会に対応するＨＡＲＱ−ＡＣＫコードブックを受信する受信モジュールを含み、ここで、時間領域伝送ユニット内の少なくとも１つの候補ＰＤＳＣＨ機会が少なくとも２つのＨＡＲＱ−ＡＣＫ情報に対応する。
【００１２】
第６態様として、本開示の実施例は、プロセッサと、メモリと、メモリに格納されてプロセッサで動作可能なプログラムを含むネットワーク機器を更に提供し、プロセッサがプログラムを実行すると、上記の情報伝送方法が実現される。
【００１３】
第７態様として、本開示の実施例は、プログラムが格納されているコンピュータ読み取り可能な記憶媒体を提供し、プログラムがプロセッサによって実行されると、上記の端末側の情報伝送方法が実現され、又は、上記のネットワーク機器側の情報伝送方法が実現される。
【発明の効果】
【００１４】
このように、本開示の実施例は、上記の構成によれば、端末が、複数のトラフィックの同時スケジューリング及び受信をサポートするシナリオにおいて、同時に受信した複数のトラフィック伝送をフィードバックし、異なるトラフィックの同時伝送の信頼性を高めることができる。
【００１５】
本開示の実施例の技術手段をより明確に説明するために、以下、本開示の実施例の記載に必要とされる図面を簡単に紹介する。明らかに、以下の記載に関する図面は、単に本開示の実施例の一部である。当業者にとって、創造性のある作業をしない前提で、これらの図面から他の図面を得ることもできる。
【図面の簡単な説明】
【００１６】
【図１】ＨＡＲＱ−ＡＣＫコードブックと候補ＰＤＳＣＨ機会とのマッピング関係概略図である。
【図２】異なるトラフィックのＰＤＳＣＨのリソーススケジューリング概略図である。
【図３】ＨＡＲＱ−ＡＣＫコードブックと異なるトラフィックのＰＤＳＣＨとのマッピング関係概略図である。
【図４】本開示の実施例の応用可能な移動通信システムのブロック図である。
【図５】本開示の実施例に係る端末側の情報伝送方法のフローチャートである。
【図６】本開示の実施例に係るＨＡＲＱ−ＡＣＫコードブックと候補ＰＤＳＣＨ機会とのマッピング関係概略図その１である。
【図７】本開示の実施例に係るＨＡＲＱ−ＡＣＫコードブックと候補ＰＤＳＣＨ機会とのマッピング関係概略図その２である。
【図８】本開示の実施例に係る端末のモジュール構造概略図である。
【図９】本開示の実施例に係る端末のブロック図である。
【図１０】は、本開示の実施例に係るネットワーク機器側の情報伝送方法のフローチャートその１である。
【図１１】本開示の実施例に係るネットワーク機器側の情報伝送方法のフローチャートその２である。
【図１２】本開示の実施例に係るネットワーク機器のモジュール構造概略図である。
【図１３】本開示の実施例に係るネットワーク機器のブロック図である。
【発明を実施するための形態】
【００１７】
以下、図面を参照して本開示の例示的な実施例を更に詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００１８】
本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本開示の実施例が、例えば、本明細書に図示又は記載されるもの以外の順序でも実施されるように、適切に交換されることが理解されるべきである。更に、「含む」及び「有する」という用語ならびにそれらの任意の変形は、非排他的を意図しており、例えば、一連のステップ又はユニットを含むプロセス、方法、システム、製品又は装置は、必ずしも明確に列挙されたそれらの工程又はユニットに限定されるものではなく、明確に列挙されていないもの又はそれらのプロセス、方法、製品又は装置に固有の他の工程又はユニットを含んでもよい。本明細書及び特許請求の範囲において、「及び／又は」は、連結された対象の少なくとも１つを意味する。
【００１９】
本明細書で説明される技術は、ロングタームエボリューションＬＴＥ（Ｌｏｎｇ  Ｔｉｍｅ  Ｅｖｏｌｕｔｉｏｎ）／ＬＴＥ−Ａ（ＬＴＥ−Ａｄｖａｎｃｅｄ）システムに限定されず、符号分割多元接続ＣＤＭＡ（Ｃｏｄｅ  Ｄｉｖｉｓｉｏｎ  Ｍｕｌｔｉｐｌｅ  Ａｃｃｅｓｓ）、時分割多元接続ＴＤＭＡ（Ｔｉｍｅ  Ｄｉｖｉｓｉｏｎ  Ｍｕｌｔｉｐｌｅ  Ａｃｃｅｓｓ）、周波数分割多元接続ＦＤＭＡ（Ｆｒｅｑｕｅｎｃｙ  Ｄｉｖｉｓｉｏｎ  Ｍｕｌｔｉｐｌｅ  Ａｃｃｅｓｓ）、直交周波数分割多元接続ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、シングルキャリア周波数分割多元接続ＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）及び他のシステムなどの様々な無線通信システムに使用される。用語「システム」及び「ネットワーク」は、しばしば交換可能に使用される。ＣＤＭＡシステムは、ＣＤＭＡ２０００、ユニバーサル地上無線アクセスＵＴＲＡ（Ｕｎｉｖｅｒｓａｌ  Ｔｅｒｒｅｓｔｒｉａｌ  Ｒａｄｉｏ  Ａｃｃｅｓｓ）などの無線技術を実現できる。ＵＴＲＡは、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）及び他のＣＤＭＡ変形形態を含む。ＴＤＭＡシステムは、グローバル移動通信システムＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）などの無線技術を実現できる。ＯＦＤＭＡシステムは、ＵＭＢ（Ｕｌｔｒａ  Ｍｏｂｉｌｅ  Ｂｒｏａｄｂａｎｄ）、Ｅ−ＵＴＲＡ（Ｅｖｏｌｕｔｉｏｎ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭなどの無線技術を実現できる。ＵＴＲＡ及びＥ−ＵＴＲＡは、ユニバーサル移動体通信システムＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の部分である。ＬＴＥ及びＬＴＥ−Ａなどのより高レベルのＬＴＥは、Ｅ−ＵＴＲＡを使用する新しいＵＭＴＳリリースである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ：３ＧＰＰ）という名称の組織からの文書に記載されている。ＣＤＭＡ２０００及びＵＭＢは、「第３世代パートナーシッププロジェクト２」（３ＧＰＰ２）という名称の組織からの文書に記載されている。本明細書で説明される技術は、以上で言及されたシステム及び無線技術に使用されるのみならず、他のシステム及び無線技術にも使用される。以下の説明は、例示の目的でＮＲシステムを説明し、以下の説明の大部分においてＮＲという用語が使用されるが、これらの技術は、ＮＲシステムの適用例以外の適用例にも適用される。
【００２０】
以下の説明は、特許請求の範囲に記載された範囲、適用可能性、又は配置を限定することなく、例を提供する。本開示の趣旨及び範囲から逸脱することなく、論じられた要素の機能及び構成を変更することができる。様々な例は、様々な手順又は構成要素を適切に省略、置換、又は追加することができる。例えば、説明された方法は、説明されたものとは異なる順序で実行されてもよく、様々なステップが追加、省略、又は組み合わされてもよい。更に、いくつかの例を参照して説明される特徴は、他の例において組み合わされてもよい。
【００２１】
図４を参照する。図４は、本開示の実施例の応用可能な無線通信システムのブロック図を示す。無線通信システムは、端末４１とネットワーク機器４２とを含む。ここで、端末４１は、端末機器又はユーザ端末ＵＥ（Ｕｓｅｒ  Ｅｑｕｉｐｍｅｎｔ）とも呼ばれ、端末４１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末ＰＤＡ（Ｐｅｒｓｏｎａｌ  Ｄｉｇｉｔａｌ  Ａｓｓｉｓｔａｎｔ）、モバイルインターネット機器ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）、又は車載機器などの端末側機器であってもよい。なお、本開示の実施例において、端末４１の具体的なタイプは、限定されない。ネットワーク機器４２は、基地局又はコアネットワークであってもよい。ここで、上記基地局は、５Ｇ以降のバージョンの基地局（例えば、次世代基地局ｇＮＢ（ｎｅｘｔ  ｇｅｎｅｒａｔｉｏｎ  ｎｏｄｅ  ｂａｓｅ  ｓｔａｔｉｏｎ）、５Ｇ  ＮＲ  ＮＢ（５Ｇ  ｎｅｗ  ｒａｄｉｏ  ｎｏｄｅ  ｂａｓｅ  ｓｔａｔｉｏｎ）など）、又は他の通信システムにおける基地局（例えば、発展型基地局ｅＮＢ（ｅｖｏｌｖｅｄ  ｎｏｄｅ  ｂａｓｅ  ｓｔａｔｉｏｎ）、無線ローカルエリアネットワークＷＬＡＮ（Ｗｉｒｅｌｅｓｓ  Ｌｏｃａｌ  Ａｒｅａ  Ｎｅｔｗｏｒｋ）アクセスポイント、又は他のアクセスポイントなど）であってもよい。ここで、基地局は、ノードＢ、発展型ノードＢ、アクセスポイント、基地トランシーバ局ＢＴＳ（Ｂａｓｅ  Ｔｒａｎｓｃｅｉｖｅｒ  Ｓｔａｔｉｏｎ）、無線基地局、無線トランシーバ、基本サービスセットＢＳＳ（Ｂａｓｉｃ  Ｓｅｒｖｉｃｅ  Ｓｅｔ）、拡張サービスセットＥＳＳ（Ｅｘｔｅｎｄｅｄ  Ｓｅｒｖｉｃｅ  Ｓｅｔ）、ノードＢ、発展型ノードＢ（ｅＮＢ）、ホームＢノード、ホーム発展型ノードＢ、ＷＬＡＮアクセスポイント、ＷｉＦｉノード、又は前記分野における他の何らかの適切な用語で呼ばれることがある。同様の技術的効果を奏する限り、基地局は、特定の技術用語に限定されない。なお、本開示の実施例において、単にＮＲシステムにおける基地局を例として説明するが、基地局の具体的な種類を限定しない。
【００２２】
基地局は、基地局制御装置の制御下で端末４１と通信し、様々な例では、基地局制御装置がコアネットワーク又はいくつかの基地局の一部である。いくつかの基地局は、バックホールを通じてコアネットワークと制御情報又はユーザデータを通信することができる。いくつかの例では、これらの基地局のいくつかは、有線又は無線通信リンクであるバックホールリンクを通じて、直接的又は間接的に互いに通信する。無線通信システムは、複数のキャリア（異なる周波数の波形信号）での動作をサポートする。マルチキャリア送信機は、変調された信号を複数のキャリアで同時に送信することができる。例えば、各通信リンクは、様々な無線技術に従って変調されたマルチキャリア信号である。各変調信号は、異なるキャリアで送信され、制御情報（たとえば、基準信号、制御チャネルなど）、オーバーヘッド情報、データなどを搬送する。
【００２３】
基地局は、１つ又は複数のアクセスポイントアンテナを介して端末４１と無線通信する。各基地局は、それぞれのカバレッジエリアに通信カバレッジを提供する。アクセスポイントのカバレッジエリアは、該カバレッジエリアの一部のみを構成するセクタに分割される。無線通信システムは、マクロ基地局、マイクロ基地局、又はピコ基地局などの異なるタイプの基地局を含む。基地局はまた、セルラー又はＷＬＡＮ無線アクセス技術などの異なる無線技術を利用する。基地局は、同じ又は異なるアクセスネットワーク又は事業者展開に関連付けられる。異なる基地局のカバレッジエリア（同じ又は異なるタイプの基地局のカバレッジエリア、同じ又は異なる無線技術を利用するカバレッジエリア、又は同じ又は異なるアクセスネットワークに属するカバレッジエリアを含む）は、オーバーラップしてもよい。
【００２４】
無線通信システムにおける通信リンクは、アップリンクＵＬ（Ｕｐｌｉｎｋ）伝送（たとえば、端末４１からネットワーク機器４２への伝送）を搬送するためのアップリンク、又はダウンリンクＤＬ（Ｄｏｗｎｌｉｎｋ）伝送（たとえば、ネットワーク機器４２から端末４１への伝送）を搬送するためのダウンリンクを含む。アップリンク伝送は、逆方向リンク伝送とも呼ばれ、ダウンリンク伝送は、順方向リンク伝送とも呼ばれる。ダウンリンク伝送は、認可周波数帯域、非認可周波数帯域、又はその両方を使用して行われる。同様に、アップリンク伝送は、認可周波数帯域、非認可周波数帯域、又はその両方を使用して行われる。
【００２５】
本開示の実施例は、端末側に応用される情報伝送方法を提供する。図５に示すように、該方法は、ステップ５１〜５３を含む。
【００２６】
ステップ５１において、時間領域伝送ユニット内で非オーバーラップの候補物理ダウンリンク共有チャネルＰＤＳＣＨ機会を取得する。
【００２７】
ここで、上記時間領域伝送ユニットは、ネットワーク機器がＰＤＳＣＨを半静的にスケジューリングする時間領域リソースユニットであり、１つの時間領域伝送ユニットは、少なくとも１つのスロットを含む。即ち、１つの時間領域伝送ユニットは、１つのスロット又は複数のスロットである。１つのスロットを例にとると、少なくとも１つの非オーバーラップ（ｎｏｎ−ｏｖｅｒｌａｐｐｅｄ）の候補ＰＤＳＣＨ機会（ｏｃｃａｓｉｏｎ）が１つのスロットに含まれる。例えば、候補ＰＤＳＣＨ機会１、候補ＰＤＳＣＨ機会２及び候補ＰＤＳＣＨ機会３の３つの非オーバーラップの候補ＰＤＳＣＨ機会が１つのスロットに含まれる。
【００２８】
ここで、ステップ５１は、端末が、ネットワーク配置又は予め定義された時間領域リソース割り当て（ＴｉｍｅＤｏｍａｉｎＲｅｓｏｕｒｃｅＡｌｌｏｃａｔｉｏｎ）テーブルに基づいて、時間領域伝送ユニット内の候補ＰＤＳＣＨ機会を決定することによって実現されるが、それに限定されない。
【００２９】
ステップ５２において、候補ＰＤＳＣＨ機会に基づいて、時間領域伝送ユニットに対応するハイブリッド自動再送要求の応答情報ＨＡＲＱ−ＡＣＫコードブックを決定する。
【００３０】
ここで、端末は、半静的なＨＡＲＱ−ＡＣＫコードブックを配置し、１つの時間領域伝送ユニットは、１つの半静的なＨＡＲＱ−ＡＣＫコードブックに対応する。１つの時間領域伝送ユニットは、少なくとも１つの候補ＰＤＳＣＨ機会を含み、１つの候補ＰＤＳＣＨ機会は、少なくとも１つのＰＤＳＣＨ伝送位置を含み、異なる候補ＰＤＳＣＨ機会に含まれるＰＤＳＣＨ伝送位置の数は、異なってもよい。例えば、候補ＰＤＳＣＨ機会１は、３つのＰＤＳＣＨ伝送位置を含み、候補ＰＤＳＣＨ機会２は、２つのＰＤＳＣＨ伝送位置を含み、候補ＰＤＳＣＨ機会は、１つのＰＤＳＣＨ伝送位置を含む。ＨＡＲＱ−ＡＣＫコードブックに対して、時間領域伝送ユニット内の少なくとも１つの候補ＰＤＳＣＨ機会は、少なくとも２つのＨＡＲＱ−ＡＣＫ情報に対応する。即ち、時間領域伝送ユニット内には、少なくとも２つのＨＡＲＱ−ＡＣＫ情報に対応する候補ＰＤＳＣＨ機会が少なくとも１つ存在する。なお、時間領域伝送ユニットには、１つのＨＡＲＱ−ＡＣＫ情報に対応する候補ＰＤＳＣＨ機会が存在してもよい。
【００３１】
ステップ５３において、ＨＡＲＱ−ＡＣＫコードブックを送信する。
【００３２】
ネットワーク機器は、異なるトラフィックのＰＤＳＣＨを、同一の候補ＰＤＳＣＨ機会の異なるＰＤＳＣＨ伝送位置にスケジューリングする場合、該候補ＰＤＳＣＨ機会における各ＰＤＳＣＨ時刻に対応するＡＣＫ−ＡＣＫ情報によって、異なるトラフィックのＰＤＳＣＨに伝送フィードバックを行うことができる。これにより、同時に受信される複数のトラフィック伝送に対するフィードバックを実現し、異なるトラフィックの同時伝送の信頼性を向上させることができる。
【００３３】
ここで、ステップ５３の実現は、以下の方式を含むが、これらに限定されない。
【００３４】
方式１．端末は、時間領域伝送ユニット内で非オーバーラップの候補ＰＤＳＣＨ機会の数に基づいて、当該時間領域伝送ユニットに対応するＨＡＲＱ−ＡＣＫコードブックを決定する。
【００３５】
この方式では、ＨＡＲＱ−ＡＣＫコードブックは、ｎ＊Ｍ個のＨＡＲＱ−ＡＣＫ情報を含む。ここで、Ｍは、時間領域送信ユニット内で非オーバーラップの候補ＰＤＳＣＨ機会の数であり、ｎは時間領域送信ユニット内の各候補ＰＤＳＣＨ機会に対応するＨＡＲＱ−ＡＣＫ情報の数である。この方式では、時間領域伝送ユニット内の各候補ＰＤＳＣＨに実際に対応するＨＡＲＱ−ＡＣＫ情報の数は、同じである。ｎ値の決定は、以下の方式を含むが、これに限定されない。
【００３６】
ｎは予め定義された数値であり、例えばプロトコルではｎを２に定義する。又は、ｎは、端末能力に応じて決定される数値であり、例えば端末が２種類のトラフィックのＰＤＳＣＨの受信をサポートできる場合、ｎは２であると決定される。又は、ｎは時間領域送信ユニット内でＰＤＳＣＨ伝送位置を最も多く含むターゲット候補ＰＤＳＣＨ機会に含まれるＰＤＳＣＨ伝送位置の数である。例えば、時間領域送信ユニット内の候補ＰＤＳＣＨ機会１及び３に１つのＰＤＳＣＨ伝送位置を含み、候補ＰＤＳＣＨ機会２に２つのＰＤＳＣＨを含む場合、ｎは２である。
【００３７】
端末は、各スロットに対応する半静的ＨＡＲＱ−ＡＣＫコードブックを配置した場合、ネットワーク配置又は予め定義された時間領域リソース割当テーブルに基づいて、候補ＰＤＳＣＨ機会を決定する。該スロットに対応するＨＡＲＱ−ＡＣＫコードブックは、ｎ＊Ｍ個のＨＡＲＱ−ＡＣＫ情報を含み、１つのＨＡＲＱ−ＡＣＫ情報は、Ｎビット（Ｎは正の整数）を含む。端末がｅＭＢＢとＵＲＬＬＣの２種類のトラフィックのＰＤＳＣＨ同時受信をサポートする場合、図６に示すように、あるスロット内において時間領域リソース割当テーブルから、非オーバーラップの候補ＰＤＳＣＨ機会の数が、候補ＰＤＳＣＨ機会１、候補ＰＤＳＣＨ機会２及び候補ＰＤＳＣＨ機会３の３つであると決定する。ここで、候補ＰＤＳＣＨ機会１は、時間領域でオーバーラップする３つのＰＤＳＣＨ伝送位置、即ちＰＤＳＣＨ伝送位置１１、ＰＤＳＣＨ伝送位置１２及びＰＤＳＣＨ伝送位置１３を含み、候補ＰＤＳＣＨ機会２は、時間領域でオーバーラップする２つのＰＤＳＣＨ伝送位置、即ちＰＤＳＣＨ伝送位置２１及びＰＤＳＣＨ伝送位置２２を含み、候補ＰＤＳＣＨ機会３は、１つのＰＤＳＣＨ伝送位置、即ちＰＤＳＣＨ伝送位置３１を含む。端末が、該スロット内の各候補ＰＤＳＣＨ機会に２つのＨＡＲＱ−ＡＣＫ情報が対応すると決定すると、該スロットに対応するＨＡＲＱ−ＡＣＫコードブックは、２＊３＝６個のＨＡＲＱ−ＡＣＫ情報を含み、該ＨＡＲＱ−ＡＣＫコードブックは、６＊Ｎビットを含む。
【００３８】
更に、ＨＡＲＱ−ＡＣＫコードブックにおけるＨＡＲＱ−ＡＣＫ情報の位置は、ＨＡＲＱ−ＡＣＫ情報に対応する候補ＰＤＳＣＨ機会の時間領域位置に基づいて決定される。例えば、ＨＡＲＱ−ＡＣＫコードブックにおけるＨＡＲＱ−ＡＣＫ情報は、候補ＰＤＳＣＨ機会の開始時間領域位置に基づいて決定される。１つの候補ＰＤＳＣＨ機会が２つのＨＡＲＱ−ＡＣＫ情報に対応し、図６に示すように、候補ＰＤＳＣＨ機会１の開始時間領域位置が候補ＰＤＳＣＨ機会２より早く、候補ＰＤＳＣＨ機会２の開始時間領域位置が候補ＰＤＳＣＨ機会３より早いとすると、ＨＡＲＱ−ＡＣＫコードブックには、候補ＰＤＳＣＨ機会１に対応するＡＣＫ／ＮＡＣＫ１１とＡＣＫ／ＮＡＣＫ１２、候補ＰＤＳＣＨ機会２に対応するＡＣＫ／ＮＡＣＫ２１とＡＣＫ／ＮＡＣＫ２２、候補ＰＤＳＣＨ機会３に対応するＡＣＫ／ＮＡＣＫ３１とＡＣＫ／ＮＡＣＫ３２を順に含む。更に、１つの候補ＰＤＳＣＨ機会に対応する複数のＨＡＲＱ−ＡＣＫ情報の位置は、この候補ＰＤＳＣＨ機会におけるＰＤＳＣＨ伝送位置の開始時間領域位置に基づいて決定される。例えば、図６に示すように、候補ＰＤＳＣＨ機会１におけるＰＤＳＣＨ伝送位置１１の開始時間領域位置がＰＤＳＣＨ伝送位置１２及び１３よりも遅い場合、候補ＰＤＳＣＨ機会１のＡＣＫ／ＮＡＣＫ１１は、ＰＤＳＣＨ伝送位置１２又は１３に対応し、候補ＰＤＳＣＨ機会１のＡＣＫ／ＮＡＣＫ１２は、ＰＤＳＣＨ伝送位置１１に対応する。候補ＰＤＳＣＨ機会２におけるＰＤＳＣＨ伝送位置２１の開始時間領域位置がＰＤＳＣＨ伝送位置２２よりも早い場合、候補ＰＤＳＣＨ機会２のＡＣＫ／ＮＡＣＫ２１は、ＰＤＳＣＨ伝送位置２１に対応し、候補ＰＤＳＣＨ機会２のＡＣＫ／ＮＡＣＫ２２は、ＰＤＳＣＨ伝送位置２２に対応する。候補ＰＤＳＣＨ機会３は、１つのＰＤＳＣＨ伝送位置３１のみを含む。従って、候補ＰＤＳＣＨ機会３のＡＣＫ／ＮＡＣＫ３１は、ＰＤＳＣＨ伝送位置３１に対応し、候補ＰＤＳＣＨ機会３のＡＣＫ／ＮＡＣＫ３２は、ＮＡＣＫ又はスタブビットを伝送することができる。ネットワーク機器が、候補ＰＤＳＣＨ機会１のＰＤＳＣＨ伝送位置１１にＵＲＬＬＣトラフィックのＰＤＳＣＨをスケジューリングし、候補ＰＤＳＣＨ機会１のＰＤＳＣＨ伝送位置１２にｅＭＢＢトラフィックのＰＤＳＣＨをスケジューリングすると仮定する。候補ＰＤＳＣＨ機会１のＰＤＳＣＨ伝送位置１２の開始時刻が候補ＰＤＳＣＨ機会１のＰＤＳＣＨ伝送位置１１よりも早いので、ｅＭＢＢトラフィックに対応するＰＤＳＣＨ伝送位置１２は、ＡＣＫ／ＮＡＣＫ１１に対応し、ＵＲＬＬＣトラフィックに対応するＰＤＳＣＨ伝送位置１１は、ＡＣＫ／ＮＡＣＫ１２に対応する。
【００３９】
上記の１つの候補ＰＤＳＣＨ機会のＨＡＲＱ−ＡＣＫ情報の位置順を決定することに加えて、１つの候補ＰＤＳＣＨ機会に対応する複数のＨＡＲＱ−ＡＣＫ情報の位置は、トラフィックタイプに応じて決定される。例えば、ＨＡＲＱ−ＡＣＫコードブックにおけるＨＡＲＱ−ＡＣＫ情報は、候補ＰＤＳＣＨ機会の開始時間領域位置によって決定される。１つの候補ＰＤＳＣＨ機会が２つのＨＡＲＱ−ＡＣＫ情報に対応し、図６に示すように、候補ＰＤＳＣＨ機会１は、ＡＣＫ／ＮＡＣＫ１１とＡＣＫ／ＮＡＣＫ１２に対応し、候補ＰＤＳＣＨ機会２は、ＡＣＫ／ＮＡＣＫ２１とＡＣＫ／ＮＡＣＫ２２に対応し、候補ＰＤＳＣＨ機会３は、ＡＣＫ／ＮＡＣＫ３１とＡＣＫ／ＮＡＣＫ３２に対応する。更に、１つの候補ＰＤＳＣＨ機会に対応する複数のＨＡＲＱ−ＡＣＫ情報の位置は、トラフィックのタイプに応じて決定されてよい。例えば、トラフィック優先度の低いＨＡＲＱ−ＡＣＫ情報の位置が先であり、図６に示すように、候補ＰＤＳＣＨ機会１のＡＣＫ／ＮＡＣＫ１１は、ｅＭＢＢトラフィック伝送のＨＡＲＱ−ＡＣＫに対応し、候補ＰＤＳＣＨ機会１のＡＣＫ／ＮＡＣＫ１２は、ＵＲＬＬＣトラフィック伝送のＨＡＲＱ−ＡＣＫに対応する。又は、図示されていないが、トラフィック優先度の高いＨＡＲＱ−ＡＣＫ情報の位置が先であり、候補ＰＤＳＣＨ機会１のＡＣＫ／ＮＡＣＫ１１は、ＵＲＬＬＣトラフィック伝送のＨＡＲＱ−ＡＣＫに対応し、候補ＰＤＳＣＨ機会１のＡＣＫ／ＮＡＣＫ１２は、ｅＭＢＢトラフィック伝送のＨＡＲＱ−ＡＣＫに対応する。方式２．端末は、時間領域伝送ユニット内で非オーバーラップの候補ＰＤＳＣＨ機会の数、及び、候補ＰＤＳＣＨ機会に含まれるＰＤＳＣＨ伝送位置の数に基づいて、当該時間領域伝送ユニットに対応するＨＡＲＱ−ＡＣＫコードブックを決定する。
【００４０】
この方式では、ＨＡＲＱ−ＡＣＫコードブックは、
【００４１】
【数１】
2021524202.tif 000003
個のＨＡＲＱ−ＡＣＫ情報を含む。ここで、Ｍは、時間領域伝送ユニット内で非オーバーラップの候補ＰＤＳＣＨ機会の数であり、ｎｍは、ｍ番目の候補ＰＤＳＣＨ機会に対応するＨＡＲＱ−ＡＣＫ情報の数である。この方式では、時間領域伝送ユニット内の各候補ＰＤＳＣＨに実際に対応するＨＡＲＱ−ＡＣＫ情報の数は、異なることがある。ｎｍ値の決定は、以下の方式を含むが、これに限定されない。
【００４２】
ｎｍは、ｍ番目の候補ＰＤＳＣＨ機会に含まれるＰＤＳＣＨ伝送位置の数であり、この方式の各候補ＰＤＳＣＨ機会に対応するＨＡＲＱ−ＡＣＫ情報の数は、それが含むＰＤＳＣＨ伝送位置の数と同じである。例えば、端末は、各スロットに対応する半静的ＨＡＲＱ−ＡＣＫコードブックを配置した場合、ネットワーク配置又は予め定義された時間領域リソース割当テーブルに基づいて候補ＰＤＳＣＨ機会を決定する。該スロットに対応するＨＡＲＱ−ＡＣＫコードブックは、
【００４３】
【数２】
2021524202.tif 000004
個のＨＡＲＱ−ＡＣＫ情報を含み、１つのＨＡＲＱ−ＡＣＫ情報は、Ｎ（Ｎは正の整数）ビットを含む。あるスロット内において時間領域リソース割当テーブルから、非オーバーラップの候補ＰＤＳＣＨ機会の数が、候補ＰＤＳＣＨ機会１、候補ＰＤＳＣＨ機会２及び候補ＰＤＳＣＨ機会３の３つであると決定されるとする。ここで、候補ＰＤＳＣＨ機会１が時間領域でオーバーラップする３つのＰＤＳＣＨ伝送位置、即ちＰＤＳＣＨ伝送位置１１、ＰＤＳＣＨ伝送位置１２及びＰＤＳＣＨ伝送位置１３を含む場合、ｎ１は、３である。候補ＰＤＳＣＨ機会２が時間領域でオーバーラップする２つのＰＤＳＣＨ伝送位置、即ちＰＤＳＣＨ伝送位置２１及びＰＤＳＣＨ伝送位置２２を含む場合、ｎ２は、２である。候補ＰＤＳＣＨ機会３が１つのＰＤＳＣＨ伝送位置、即ちＰＤＳＣＨ伝送位置３１を含む場合、ｎ３は、１である。そして、該スロットに対応するＨＡＲＱ−ＡＣＫコードブックは、３＋２＋１＝６個のＨＡＲＱ−ＡＣＫ情報を含み、該ＨＡＲＱ−ＡＣＫコードブックは、６＊Ｎビットを含む。
【００４４】
更に、ＨＡＲＱ−ＡＣＫコードブックにおけるＨＡＲＱ−ＡＣＫ情報の位置は、ＨＡＲＱ−ＡＣＫ情報に対応する候補ＰＤＳＣＨ機会の時間領域位置に基づいて決定される。例えば、ＨＡＲＱ−ＡＣＫコードブックにおけるＨＡＲＱ−ＡＣＫ情報は、候補ＰＤＳＣＨ機会の開始時間領域位置によって決定される。例えば、候補ＰＤＳＣＨ機会１の開始時間領域位置が候補ＰＤＳＣＨ機会２より早く、候補ＰＤＳＣＨ機会２の開始時間領域位置が候補ＰＤＳＣＨ機会３より早い場合、ＨＡＲＱ−ＡＣＫコードブックには、候補ＰＤＳＣＨ機会１に対応するＡＣＫ／ＮＡＣＫ１１、ＡＣＫ／ＮＡＣＫ１２及びＡＣＫ／ＮＡＣＫ３、候補ＰＤＳＣＨ機会２に対応するＡＣＫ／ＮＡＣＫ２１及びＡＣＫ／ＮＡＣＫ２２、候補ＰＤＳＣＨ機会３に対応するＡＣＫ／ＮＡＣＫ３１を順に含むが、この例では図示されていない。更に、１つの候補ＰＤＳＣＨ機会に対応する複数のＨＡＲＱ−ＡＣＫ情報の位置は、この候補ＰＤＳＣＨ機会におけるＰＤＳＣＨ伝送位置の開始時間領域位置に基づいて決定される。候補ＰＤＳＣＨ機会１内のＰＤＳＣＨ伝送位置１１の開始時間領域位置がＰＤＳＣＨ伝送位置１２及び１３よりも遅いと、候補ＰＤＳＣＨ機会１のＡＣＫ／ＮＡＣＫ１１は、ＰＤＳＣＨ伝送位置１２又は１３に対応し、候補ＰＤＳＣＨ機会１のＡＣＫ／ＮＡＣＫ１２は、ＰＤＳＣＨ伝送位置１１に対応する。候補ＰＤＳＣＨ機会２におけるＰＤＳＣＨ伝送位置２１の開始時間領域位置がＰＤＳＣＨ伝送位置２２よりも早いと、候補ＰＤＳＣＨ機会２のＡＣＫ／ＮＡＣＫ２１は、ＰＤＳＣＨ伝送位置２１に対応し、候補ＰＤＳＣＨ機会２のＡＣＫ／ＮＡＣＫ２２は、ＰＤＳＣＨ伝送位置２２に対応する。候補ＰＤＳＣＨ機会３は、１つのＰＤＳＣＨ伝送位置３１のみを含む。従って、候補ＰＤＳＣＨ機会３のＡＣＫ／ＮＡＣＫ３１は、ＰＤＳＣＨ伝送位置３１に対応し、候補ＰＤＳＣＨ機会３のＡＣＫ／ＮＡＣＫ３２は、ＮＡＣＫ又はスタブビットを伝送することができる。ネットワーク機器が、候補ＰＤＳＣＨ機会１のＰＤＳＣＨ伝送位置１１にＵＲＬＬＣトラフィックのＰＤＳＣＨをスケジューリングし、候補ＰＤＳＣＨ機会１のＰＤＳＣＨ伝送位置１２にｅＭＢＢトラフィックのＰＤＳＣＨをスケジューリングすると仮定する。ＰＤＳＣＨ伝送位置１２の開始時刻がＰＤＳＣＨ伝送位置１１よりも早いので、ｅＭＢＢトラフィックに対応するＰＤＳＣＨ伝送位置１２は、ＡＣＫ／ＮＡＣＫ１１に対応し、ＵＲＬＬＣトラフィックに対応するＰＤＳＣＨ伝送位置１１は、ＡＣＫ／ＮＡＣＫ１２に対応する。
【００４５】
上記の１つの候補ＰＤＳＣＨ機会のＨＡＲＱ−ＡＣＫ情報の位置順を決定することに加えて、１つの候補ＰＤＳＣＨ機会に対応する複数のＨＡＲＱ−ＡＣＫ情報の位置は、トラフィックタイプに応じて決定される。例えば、ＨＡＲＱ−ＡＣＫコードブックにおけるＨＡＲＱ−ＡＣＫ情報は、候補ＰＤＳＣＨ機会の開始時間領域位置によって決定される。候補ＰＤＳＣＨ機会１は、ＡＣＫ／ＮＡＣＫ１１、ＡＣＫ／ＮＡＣＫ１２及びＡＣＫ／ＮＡＣＫ１３に対応し、候補ＰＤＳＣＨ機会２は、ＡＣＫ／ＮＡＣＫ２１及びＡＣＫ／ＮＡＣＫ２２に対応し、候補ＰＤＳＣＨ機会３は、ＡＣＫ／ＮＡＣＫ３１に対応する。更に、１つの候補ＰＤＳＣＨ機会に対応する複数のＨＡＲＱ−ＡＣＫ情報の位置は、トラフィックのタイプに応じて決定されてよい。例えば、トラフィック優先度の低いＨＡＲＱ−ＡＣＫ情報の位置が先であり、候補ＰＤＳＣＨ機会１のＡＣＫ／ＮＡＣＫ１１は、ｅＭＢＢトラフィック伝送のＨＡＲＱ−ＡＣＫに対応し、候補ＰＤＳＣＨ機会１のＡＣＫ／ＮＡＣＫ１２は、ＵＲＬＬＣトラフィック伝送のＨＡＲＱ−ＡＣＫに対応する。又は、トラフィック優先度の高いＨＡＲＱ−ＡＣＫ情報の位置が先であり、候補ＰＤＳＣＨ機会１のＡＣＫ／ＮＡＣＫ１１は、ＵＲＬＬＣトラフィック伝送のＨＡＲＱ−ＡＣＫに対応し、候補ＰＤＳＣＨ機会１のＡＣＫ／ＮＡＣＫ１２は、ｅＭＢＢトラフィック伝送のＨＡＲＱ−ＡＣＫに対応する。
【００４６】
ｎｍ値は、上記のｍ番目の候補ＰＤＳＣＨ機会に実際に含まれるＰＤＳＣＨ伝送位置の数に基づいて決定される以外、以下のように決定されてもよい。ｍ番目の候補ＰＤＳＣＨ機会に含まれるＰＤＳＣＨ伝送位置の数が１より大きくなると、ｎｍは、第１の値であり、ｍ番目の候補ＰＤＳＣＨ機会に含まれるＰＤＳＣＨ伝送位置の数が１であると、ｎｍは、第２の値である。ここで、第１の値及び第２の値は、予め定義されており、例えば、プロトコルにおいて、第１の値を２、第２の値を１に定義する。又は、第１の値は、端末の能力に応じて決定され、例えば、端末が２種類のトラフィックＰＤＳＣＨの受信をサポートする場合、第１の値は、２であると決定される。
【００４７】
端末は、各スロットに対応する半静的ＨＡＲＱ−ＡＣＫコードブックを配置した場合、ネットワーク配置又は予め定義された時間領域リソース割当テーブルに基づいて候補ＰＤＳＣＨ機会を決定する。該スロットに対応するＨＡＲＱ−ＡＣＫコードブックは、
【００４８】
【数３】
2021524202.tif 000005
個のＨＡＲＱ−ＡＣＫ情報を含み、１つのＨＡＲＱ−ＡＣＫ情報は、Ｎ（Ｎは正の整数）ビットを含む。第１の値が２、第２の値が１であることを例にとると、あるスロット内において時間領域リソース割当テーブルから、非オーバーラップの候補ＰＤＳＣＨ機会の数が、候補ＰＤＳＣＨ機会１、候補ＰＤＳＣＨ機会２及び候補ＰＤＳＣＨ機会３の３つであると決定されるとする。図７に示すように、候補ＰＤＳＣＨ機会１が、時間領域でオーバーラップする３つのＰＤＳＣＨ伝送位置、即ちＰＤＳＣＨ伝送位置１１、ＰＤＳＣＨ伝送位置１２、ＰＤＳＣＨ伝送位置１３を含む場合、ｎ１は、第１の値であり、即ちｎ１＝２である。候補ＰＤＳＣＨ機会２が時間領域でオーバーラップする２つのＰＤＳＣＨ伝送位置、即ちＰＤＳＣＨ伝送位置２１及びＰＤＳＣＨ伝送位置２２を含む場合、ｎ２も２である。候補ＰＤＳＣＨ機会３が時間領域でオーバーラップする１個のＰＤＳＣＨ伝送位置、即ちＰＤＳＣＨ伝送位置３１を含む場合、ｎ３は、第２の値であり、ｎ３＝１である。そして、該スロットに対応するＨＡＲＱ−ＡＣＫコードブックは、２＋２＋１＝の５つのＨＡＲＱ−ＡＣＫ情報を含み、該ＨＡＲＱ−ＡＣＫコードブックは、５＊Ｎビットを含む。
【００４９】
更に、ＨＡＲＱ−ＡＣＫコードブックにおけるＨＡＲＱ−ＡＣＫ情報の位置は、ＨＡＲＱ−ＡＣＫ情報に対応する候補ＰＤＳＣＨ機会の時間領域位置に基づいて決定される。例えば、ＨＡＲＱ−ＡＣＫコードブックにおけるＨＡＲＱ−ＡＣＫ情報は、候補ＰＤＳＣＨ機会の開始時間領域位置に基づいて決定される。例えば、図７に示すように、候補ＰＤＳＣＨ機会１の開始時間領域位置が候補ＰＤＳＣＨ機会２より早く、候補ＰＤＳＣＨ機会２の開始時間領域位置が候補ＰＤＳＣＨ機会３より早いとすると、ＨＡＲＱ−ＡＣＫコードブックには、候補ＰＤＳＣＨ機会１に対応するＡＣＫ／ＮＡＣＫ１１、ＡＣＫ／ＮＡＣＫ１２、ＡＣＫ／ＮＡＣＫ３、候補ＰＤＳＣＨ機会２に対応するＡＣＫ／ＮＡＣＫ２１、ＡＣＫ／ＮＡＣＫ２２、候補ＰＤＳＣＨ機会３に対応するＡＣＫ／ＮＡＣＫ３１を順に含む。更に、１つの候補ＰＤＳＣＨ機会に対応する複数のＨＡＲＱ−ＡＣＫ情報の位置は、この候補ＰＤＳＣＨ機会におけるＰＤＳＣＨ伝送位置の開始時間領域位置に基づいて決定される。例えば、図７に示すように、候補ＰＤＳＣＨ機会１におけるＰＤＳＣＨ伝送位置１１の開始時間領域位置が、ＰＤＳＣＨ伝送位置１２及び１３よりも遅い場合、候補ＰＤＳＣＨ機会１のＡＣＫ／ＮＡＣＫ１１は、ＰＤＳＣＨ伝送位置１２又は１３に対応し、候補ＰＤＳＣＨ機会１のＡＣＫ／ＮＡＣＫ１２は、ＰＤＳＣＨ伝送位置１１に対応する。候補ＰＤＳＣＨ機会２におけるＰＤＳＣＨ伝送位置２１の開始時間領域位置がＰＤＳＣＨ伝送位置２２よりも早い場合、候補ＰＤＳＣＨ機会２のＡＣＫ／ＮＡＣＫ２１は、ＰＤＳＣＨ伝送位置２１に対応し、候補ＰＤＳＣＨ機会２のＡＣＫ／ＮＡＣＫ２２は、ＰＤＳＣＨ伝送位置２２に対応する。候補ＰＤＳＣＨ機会３は、ＰＤＳＣＨ伝送位置３１を１つだけ含むので、候補ＰＤＳＣＨ機会３のＡＣＫ／ＮＡＣＫ３１は、ＰＤＳＣＨ伝送位置３１に対応する。ネットワーク機器が、候補ＰＤＳＣＨ機会１のＰＤＳＣＨ伝送位置１１にＵＲＬＬＣトラフィックのＰＤＳＣＨをスケジューリングし、候補ＰＤＳＣＨ機会１のＰＤＳＣＨ伝送位置１２にｅＭＢＢトラフィックのＰＤＳＣＨをスケジューリングすると仮定する。ＰＤＳＣＨ伝送位置１２の開始時刻がＰＤＳＣＨ伝送位置１１よりも早いので、ｅＭＢＢトラフィックに対応するＰＤＳＣＨ伝送位置１２は、ＡＣＫ／ＮＡＣＫ１１に対応し、ＵＲＬＬＣトラフィックに対応するＰＤＳＣＨ伝送位置１１は、ＡＣＫ／ＮＡＣＫ１２に対応する。
【００５０】
上記の１つの候補ＰＤＳＣＨ機会のＨＡＲＱ−ＡＣＫ情報の位置順を決定することに加えて、１つの候補ＰＤＳＣＨ機会に対応する複数のＨＡＲＱ−ＡＣＫ情報の位置は、トラフィックタイプに応じて決定される。例えば、ＨＡＲＱ−ＡＣＫコードブックにおけるＨＡＲＱ−ＡＣＫ情報は、候補ＰＤＳＣＨ機会の開始時間領域位置に基づいて決定される。１つの候補ＰＤＳＣＨ機会が２つのＨＡＲＱ−ＡＣＫ情報に対応し、図７に示すように、候補ＰＤＳＣＨ機会１は、ＡＣＫ／ＮＡＣＫ１１とＡＣＫ／ＮＡＣＫ１２に対応し、候補ＰＤＳＣＨ機会２は、ＡＣＫ／ＮＡＣＫ２１とＡＣＫ／ＮＡＣＫ２２に対応し、候補ＰＤＳＣＨ機会３は、ＡＣＫ／ＮＡＣＫ３１とＡＣＫ／ＮＡＣＫ３２に対応する。更に、１つの候補ＰＤＳＣＨ機会に対応する複数のＨＡＲＱ−ＡＣＫ情報の位置は、トラフィックのタイプに応じて決定されてよい。例えば、トラフィック優先度の低いＨＡＲＱ−ＡＣＫ情報の位置が先であり、図７に示すように、候補ＰＤＳＣＨ機会１のＡＣＫ／ＮＡＣＫ１１は、ｅＭＢＢトラフィック伝送のＨＡＲＱ−ＡＣＫに対応し、候補ＰＤＳＣＨ機会１のＡＣＫ／ＮＡＣＫ１２は、ＵＲＬＬＣトラフィック伝送のＨＡＲＱ−ＡＣＫに対応する。又は、図示されていないが、トラフィック優先度の高いＨＡＲＱ−ＡＣＫ情報の位置が先であり、候補ＰＤＳＣＨ機会１のＡＣＫ／ＮＡＣＫ１１は、ＵＲＬＬＣトラフィック伝送のＨＡＲＱ−ＡＣＫに対応し、候補ＰＤＳＣＨ機会１のＡＣＫ／ＮＡＣＫ１２は、ｅＭＢＢトラフィック伝送のＨＡＲＱ−ＡＣＫに対応する。
【００５１】
なお、上記方式１及び方式２において、端末は、実際にスケジューリングされたＰＤＳＣＨ及びＰＤＳＣＨの伝送状態に応じてＨＡＲＱ−ＡＣＫコードブックをパディングできる。例えば、端末は、受信成功フィードバックＡＣＫ、受信未成功フィードバックＮＡＣＫなど、ｅＭＢＢトラフィックのＰＤＳＣＨの実際の受信状況に応じてＡＣＫ／ＮＡＣＫ１１をパディングする。受信成功フィードバックＡＣＫ、受信未成功フィードバックＮＡＣＫなど、ＵＲＬＬＣトラフィックのＰＤＳＣＨの実際の受信状態に応じてＡＣＫ／ＮＡＣＫ１２をパディングする。また、端末は、ネットワーク機器がスケジューリングしない候補ＰＤＳＣＨ機会２及び候補ＰＤＳＣＨ機会３に対応するＨＡＲＱ−ＡＣＫ情報（ＡＣＫ／ＮＡＣＫ２１、ＡＣＫ／ＮＡＣＫ２２、ＡＣＫ／ＮＡＣＫ３１など）に対して特別な形式でパディングを行うことができる。
【００５２】
本開示の実施例に係る情報伝送方法によれば、端末が、複数のトラフィックの同時スケジューリング及び受信をサポートするシナリオにおいて、同時に受信した複数のトラフィック伝送をフィードバックし、異なるトラフィックの同時伝送の信頼性を高めることができる。
【００５３】
以上の実施例は、異なるシナリオでの情報伝送方法を紹介したが、以下、更に図面を参照して、それに対応する端末について説明する。
【００５４】
図８に示すように、本開示の実施例に係る端末８００は、上記実施例における、時間領域伝送ユニット内で非オーバーラップの候補物理ダウンリンク共有チャネルＰＤＳＣＨ機会を取得し、候補ＰＤＳＣＨ機会に基づいて、時間領域伝送ユニットに対応するハイブリッド自動再送要求の応答情報ＨＡＲＱ−ＡＣＫコードブックを決定し、ＨＡＲＱ−ＡＣＫコードブックを送信する方法を具現化し、同じ効果を奏することもできる。ここで、時間領域伝送ユニット内の少なくとも１つの候補ＰＤＳＣＨ機会が少なくとも２つのＨＡＲＱ−ＡＣＫ情報に対応する。該端末８００は、具体的に、以下の機能的モジュールを含む。取得モジュール８１０は、時間領域伝送ユニット内で非オーバーラップの候補物理ダウンリンク共有チャネルＰＤＳＣＨ機会を取得する。決定モジュール８２０は、候補ＰＤＳＣＨ機会に基づいて、時間領域伝送ユニットに対応するハイブリッド自動再送要求の応答情報ＨＡＲＱ−ＡＣＫコードブックを決定する。ここで、時間領域伝送ユニット内の少なくとも１つの候補ＰＤＳＣＨ機会が少なくとも２つのＨＡＲＱ−ＡＣＫ情報に対応する。送信モジュール８３０は、ＨＡＲＱ−ＡＣＫコードブックを送信する。
【００５５】
ここで、ＨＡＲＱ−ＡＣＫコードブックは、ｎ＊Ｍ個のＨＡＲＱ−ＡＣＫ情報を含み、ここで、Ｍは、時間領域送信ユニット内で非オーバーラップの候補ＰＤＳＣＨ機会の数であり、ｎは
時間領域送信ユニット内の各候補ＰＤＳＣＨ機会に対応するＨＡＲＱ−ＡＣＫ情報の数である。
【００５６】
ここで、ｎは予め定義された数値であり、又は、ｎは端末能力に応じて決定される数値であり、又は、ｎは時間領域送信ユニット内でＰＤＳＣＨ伝送位置を最も多く含むターゲット候補ＰＤＳＣＨ機会に含まれるＰＤＳＣＨ伝送位置の数である。
【００５７】
ここで、ＨＡＲＱ−ＡＣＫコードブックは、
【００５８】
【数４】
2021524202.tif 000006
個のＨＡＲＱ−ＡＣＫ情報を含み、ここで、Ｍは、時間領域伝送ユニット内で非オーバーラップの候補ＰＤＳＣＨ機会の数であり、ｎｍは、ｍ番目の候補ＰＤＳＣＨ機会に対応するＨＡＲＱ−ＡＣＫ情報の数である。
【００５９】
ここで、ｎｍは、ｍ番目の候補ＰＤＳＣＨ機会に含まれるＰＤＳＣＨ伝送位置の数である。
【００６０】
ここで、ｍ番目の候補ＰＤＳＣＨ機会に含まれるＰＤＳＣＨ伝送位置の数が１より大きくなると、ｎｍは、第１の値であり、ｍ番目の候補ＰＤＳＣＨ機会に含まれるＰＤＳＣＨ伝送位置の数が１であると、ｎｍは、第２の値である。
【００６１】
ここで、第１の値と第２の値は、予め定義され、又は、第１の値は、端末能力に応じて決定される。
【００６２】
ここで、ＨＡＲＱ−ＡＣＫ情報は、Ｎ（正の整数）ビットを含む。
【００６３】
ここで、ＨＡＲＱ−ＡＣＫコードブック内のＨＡＲＱ−ＡＣＫ情報の位置は、ＨＡＲＱ−ＡＣＫ情報に対応する候補ＰＤＳＣＨ機会の時間領域位置に基づいて決定される。
【００６４】
ここで、時間領域伝送ユニットは、少なくとも１つのスロットを含む。
【００６５】
なお、本開示の実施例に係る端末は、複数のトラフィックの同時スケジューリング及び受信をサポートするシナリオにおいて、同時に受信した複数のトラフィック伝送をフィードバックし、異なるトラフィックの同時伝送の信頼性を高めることができる。
【００６６】
上記目的をよりよく実現するために、図９は、本開示の各実施例を実現する端末のハードウェア構造図である。該端末９０は、ラジオ周波数ユニット９１と、ネットワークモジュール９２と、オーディオ出力ユニット９３と、入力ユニット９４と、センサ９５と、表示ユニット９６と、ユーザ入力ユニット９７と、インタフェースユニット９８と、メモリ９９と、プロセッサ９１０と、電源９１１などの構成要素を含むが、これらに限定されない。図９に示される端末の構造は、端末を限定するものではなく、端末は、図示されるよりも多い又は少ない構成要素を含むことができ、又は特定の構成要素を組み合わせることができ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００６７】
ここで、ラジオ周波数ユニット９１は、時間領域伝送ユニット内で非オーバーラップの候補物理ダウンリンク共有チャネルＰＤＳＣＨ機会を取得し、プロセッサ９１０は、候補ＰＤＳＣＨ機会に基づいて、時間領域伝送ユニットに対応するハイブリッド自動再送要求の応答情報ＨＡＲＱ−ＡＣＫコードブックを決定し、ここで、時間領域伝送ユニット内の少なくとも１つの候補ＰＤＳＣＨ機会が少なくとも２つのＨＡＲＱ−ＡＣＫ情報に対応する。プロセッサ９１０は、ラジオ周波数ユニット９１がＨＡＲＱ−ＡＣＫコードブックを送信するように制御する。
【００６８】
ここで、ＨＡＲＱ−ＡＣＫコードブックは、ｎ＊Ｍ個のＨＡＲＱ−ＡＣＫ情報を含み、ここで、Ｍは、時間領域送信ユニット内で非オーバーラップの候補ＰＤＳＣＨ機会の数であり、ｎは時間領域送信ユニット内の各候補ＰＤＳＣＨ機会に対応するＨＡＲＱ−ＡＣＫ情報の数である。
【００６９】
ここで、ｎは予め定義された数値であり、又は、ｎは端末能力に応じて決定される数値であり、又は、ｎは時間領域送信ユニット内でＰＤＳＣＨ伝送位置を最も多く含むターゲット候補ＰＤＳＣＨ機会に含まれるＰＤＳＣＨ伝送位置の数である。
【００７０】
ここで、ＨＡＲＱ−ＡＣＫコードブックは、
【００７１】
【数５】
2021524202.tif 000007
個のＨＡＲＱ−ＡＣＫ情報を含み、ここで、Ｍは、時間領域伝送ユニット内で非オーバーラップの候補ＰＤＳＣＨ機会の数であり、ｎｍは、ｍ番目の候補ＰＤＳＣＨ機会に対応するＨＡＲＱ−ＡＣＫ情報の数である。
【００７２】
ここで、ｎｍは、ｍ番目の候補ＰＤＳＣＨ機会に含まれるＰＤＳＣＨ伝送位置の数である。
【００７３】
ここで、ｍ番目の候補ＰＤＳＣＨ機会に含まれるＰＤＳＣＨ伝送位置の数が１より大きくなると、ｎｍは、第１の値であり、ｍ番目の候補ＰＤＳＣＨ機会に含まれるＰＤＳＣＨ伝送位置の数が１であると、ｎｍは、第２の値である。
【００７４】
ここで、第１の値と第２の値は、予め定義され、又は、第１の値は、端末能力に応じて決定される。
【００７５】
ここで、ＨＡＲＱ−ＡＣＫ情報は、Ｎ（正の整数）ビットを含む。
【００７６】
ここで、ＨＡＲＱ−ＡＣＫコードブック内のＨＡＲＱ−ＡＣＫ情報の位置は、ＨＡＲＱ−ＡＣＫ情報に対応する候補ＰＤＳＣＨ機会の時間領域位置に基づいて決定される。
【００７７】
ここで、時間領域伝送ユニットは、少なくとも１つのスロットを含む。
【００７８】
本開示の実施例に係る端末は、複数のトラフィックの同時スケジューリング及び受信をサポートするシナリオにおいて、同時に受信した複数のトラフィック伝送をフィードバックし、異なるトラフィックの同時伝送の信頼性を高めることができる。
【００７９】
なお、本開示の実施例において、ラジオ周波数ユニット９１は、情報の送受信又は通話中で信号の送受信に用いられ、具体的に、基地局から下りデータを受信した後、プロセッサ９１０による処理をし、また、上りデータを基地局に送信する。一般に、ラジオ周波数ユニット９１は、アンテナ、少なくとも１つの増幅器、トランシーバ、結合器、低雑音増幅器、デュプレクサなどを含むが、それらに限定されない。また、ラジオ周波数ユニット９１は、無線通信システムを介してネットワークや他の機器と通信を行うこともできる。
【００８０】
端末は、ネットワークモジュール９２を介して、電子メールの送受信、ウェブページの閲覧、ストリーミングメディアへのアクセスを支援するなど、無線ブロードバンドインターネットアクセスをユーザに提供する。
【００８１】
オーディオ出力ユニット９３は、ラジオ周波数ユニット９１やネットワークモジュール９２が受信したオーディオデータや、メモリ９９に記憶されたオーディオデータをオーディオ信号に変換して音声として出力することができる。また、オーディオ出力ユニット９３は、端末９０が実行する特定の機能に関するオーディオ（例えば、呼出信号着信音、メッセージ着信音等）を出力してもよい。オーディオ出力ユニット９３は、スピーカ、ブザー及びレシーバなどを含む。
【００８２】
入力ユニット９４は、オーディオやビデオの信号を受信することに用いられる。入力ユニット９４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）９４１と、マイク９４２とを含む。処理された画像フレームは、表示ユニット９６上に表示される。グラフィックスプロセッサ９４１で処理された画像フレームは、メモリ９９（又は他の記憶媒体）に記憶されるか、又はラジオ周波数ユニット９１又はネットワークモジュール９２を介して送信される。マイク９４２は、音声を受信し、オーディオデータに加工することができる。処理されたオーディオデータは、電話通話モードの場合、ラジオ周波数ユニット９１を介して移動体通信基地局に送信可能な形式に変換して出力することができる。
【００８３】
端末９０は、光センサ、モーションセンサ及び他のセンサのような少なくとも１つのセンサ９５を更に含む。具体的には、光センサは、周辺光センサ及び近接センサを含む。周辺光センサは、周辺光の明暗に応じて表示パネル９６１の輝度を調節し、近接センサは、端末９０が耳元に移動したときに表示パネル９６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（たとえば、歩数計、ノッキング）などに用いることができる。センサ９５は、指紋センサ、圧力センサ、虹彩センサ、分子センサ、ジャイロスコープ、気圧計、湿度計、温度計、赤外線センサなどを更に含むことができるが、ここでは枚挙しない。
【００８４】
表示ユニット９６は、ユーザが入力した情報やユーザに提供した情報を表示するために用いられる。表示ユニット９６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル９６１を含んでもよい。
【００８５】
ユーザ入力ユニット９７は、数字や文字情報の入力を受け付け、ユーザによる端末の設定や機能制御に関するキー信号の入力を行うことに用いられる。具体的に、ユーザ入力ユニット９７は、タッチパネル９７１と、その他の入力機器９７２とを含む。タッチパネル９７１は、タッチスクリーンとも呼ばれ、その上又は付近でのユーザのタッチ操作（たとえばユーザが指やスタイラスなどの任意の適切な物体や付属部材を用いたタッチパネル９７１の上又はタッチパネル９７１の付近での操作）を取得可能である。タッチパネル９７１は、タッチ検出装置とタッチコントローラの２つの部分を含みうる。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ９１０に送り、プロセッサ９１０からの命令を受信して実行する。なお、タッチパネル９７１は、抵抗膜式、静電容量式、赤外線、表面弾性波など、種々の方式を用いて実現することができる。ユーザ入力ユニット９７は、タッチパネル９７１の他に、他の入力機器９７２を含んでもよい。具体的に、他の入力機器９７２は、物理的なキーボード、機能キー（例えば、音量調節キー、スイッチキーなど）、トラックボール、マウス、レバーを含むが、ここでは枚挙しない。
【００８６】
更に、タッチパネル９７１は、表示パネル９６１に重ねられる。タッチパネル９７１は、その上又はその近くでタッチ操作を検出すると、プロセッサ９１０に送信して、タッチイベントのタイプを決定する。次いで、プロセッサ９１０は、タッチイベントのタイプに応じて、対応する視覚的出力を表示パネル９６１に提供する。図９では、タッチパネル９７１と表示パネル９６１は、独立した２つの部品として端末の入出力機能を実現するが、実施例によっては、タッチパネル９７１と表示パネル９６１を一体化して端末の入出力機能を実現することもでき、具体的にここでは限定しない。
【００８７】
インタフェースユニット９８は、外部装置と端末９０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット９８は、外部装置から入力（たとえば、データ情報、電力など）を受信し、受信した入力を端末９０内の１つ以上の要素に伝送するために使用されてもよく、又は端末９０と外部装置との間でデータを伝送するために使用されてもよい。
【００８８】
メモリ９９は、ソフトウェアプログラム及び様々なデータを格納するために使用される。メモリ９９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、オーディオデータや電話帳など、携帯電話機の使用に応じて作成されたデータを記憶することができる。更に、メモリ９９は、高速ランダムアクセスメモリを含んでもよく、少なくとも１つの磁気ディスク記憶装置、フラッシュメモリデバイスなどの不揮発性固体記憶デバイス、又は揮発性メモリを含んでもよい。
【００８９】
プロセッサ９１０は、端末の制御センタであり、各種インタフェースや回線を用いて端末全体の各部を接続し、メモリ９９に格納されたソフトウェアプログラム及び／又はモジュールを実行、メモリ９９に格納されたデータを呼び出して端末の各種機能及び処理データを実行し、端末全体の監視を行う。プロセッサ９１０は、１つ以上の処理ユニットを含んでもよい。選択可能に、プロセッサ９１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ９１０に統合されなくてもよいことが理解される。
【００９０】
端末９０は、各構成要素に電力を供給するためのバッテリのような電源９１１を更に含んでもよい。選択可能に、電源９１１は、電源管理システムを介してプロセッサ９１０に論理的に接続されてもよく、電源管理システムを介して充電、放電、及び消費電力管理などを管理する機能を実現してもよい。
【００９１】
また、端末９０は、図示しない機能モジュールを更に含んでもよく、ここでの説明は省略する。
【００９２】
任意選択で、本開示の実施例は、プロセッサ９１０と、メモリ９９と、メモリ９９に格納されて前記プロセッサ９１０で動作可能なコンピュータプログラムを含む端末を更に提供し、該コンピュータプログラムがプロセッサ９１０によって実行されると、上記情報伝送方法の実施例の各プロセスが実現され、且つ同じ技術効果を奏することもできるので、重複を避けるために、ここでは繰り返して記載しない。ここで、端末は、無線端末であってもよく有線端末であってもよい。無線端末とは、音声及び／又は他のサービスデータ接続性をユーザに提供する機器を指し、無線接続機能の携帯式機器、又は、無線モデムに接続される他の処理機器を有する。無線端末は、無線アクセスネットワーク（Ｒａｄｉｏ  Ａｃｃｅｓｓ  Ｎｅｔｗｏｒｋ、ＲＡＮと略称される）を介して１つ又は複数のコアネットワークと通信可能である。無線端末は、移動電話（又は「セルラー」電話と称される）などの移動端末、移動端末を有するコンピュータなどである。たとえば、端末は、携帯式、ポータブル式、ハンドヘルド式、コンピュータ内蔵式又は車載の移動装置であり、無線アクセスネットワークとは音声及び／又はデータのやり取りを行う。例えば、ＰＣＳ（Ｐｅｒｓｏｎａｌ  Ｃｏｍｍｕｎｉｃａｔｉｏｎ  Ｓｅｒｖｉｃｅ）電話、コードレス電話、ＳＩＰ（Ｓｅｓｓｉｏｎ  Ｉｎｉｔｉａｔｉｏｎ  Ｐｒｏｔｏｃｏｌ）電話機、ＷＬＬ（Ｗｉｒｅｌｅｓｓ  Ｌｏｃａｌ  Ｌｏｏｐ）局、ＰＤＡ（Ｐｅｒｓｏｎａｌ  Ｄｉｇｉｔａｌ  Ａｓｓｉｓｔａｎｔ）などの機器である。無線端末は、システム、受信契約ユニット（Ｓｕｂｓｃｒｉｂｅｒ  Ｕｎｉｔ）、受信契約局（Ｓｕｂｓｃｒｉｂｅｒ  Ｓｔａｔｉｏｎ）、移動局（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザ機器（Ｕｓｅｒ  Ｄｅｖｉｃｅ  ｏｒ  Ｕｓｅｒ  Ｅｑｕｉｐｍｅｎｔ）と呼ばれてもよいが、ここでは限定されない。
【００９３】
本開示の実施例は、コンピュータプログラムが格納されているコンピュータ読み取り可能な記憶媒体を更に提供し、当該コンピュータプログラムがプロセッサによって実行されると、上記情報伝送方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなどなどである。
【００９４】
以上の実施例は、本開示の情報伝送方法を端末側から紹介したが、以下、更に、ネットワーク機器側の情報伝送方法について、図面を参照して紹介する。
【００９５】
図１０に示すように、本開示の実施例に係る情報伝送方法は、ネットワーク機器側に応用される。該方法において、時間領域伝送ユニット内で非オーバーラップの候補物理ダウンリンク共有チャネルＰＤＳＣＨ機会に対応するＨＡＲＱ−ＡＣＫコードブックを受信するステップ１０１を含む。
【００９６】
ここで、上記時間領域伝送ユニットは、ネットワーク機器がＰＤＳＣＨを半静的にスケジューリングする時間領域リソースユニットであり、１つの時間領域伝送ユニットは、少なくとも１つのスロットを含む。１つのスロットを例にとると、少なくとも１つの非オーバーラップ（ｎｏｎ−ｏｖｅｒｌａｐｐｅｄ）の候補ＰＤＳＣＨ機会（ｏｃｃａｓｉｏｎ）が１つのスロットに含まれる。例えば、１つのスロットには、候補ＰＤＳＣＨ機会１、候補ＰＤＳＣＨ機会２及び候補ＰＤＳＣＨ機会３の３つの非オーバーラップの候補ＰＤＳＣＨ機会が含まれる。更に、１つの時間領域伝送ユニットは、少なくとも１つの候補ＰＤＳＣＨ機会を含み、１つの候補ＰＤＳＣＨ機会は、少なくとも１つのＰＤＳＣＨ伝送位置を含み、異なる候補ＰＤＳＣＨ機会に含まれるＰＤＳＣＨ伝送位置の数は、異なってもよい。例えば、候補ＰＤＳＣＨ機会１は、３つのＰＤＳＣＨ伝送位置を含み、候補ＰＤＳＣＨ機会２は、２つのＰＤＳＣＨ伝送位置を含み、候補ＰＤＳＣＨ機会は、１つのＰＤＳＣＨ伝送位置を含む。ＨＡＲＱ−ＡＣＫコードブックに対して、時間領域伝送ユニット内の少なくとも１つの候補ＰＤＳＣＨ機会は、少なくとも２つのＨＡＲＱ−ＡＣＫ情報に対応する。即ち、時間領域伝送ユニット内には、少なくとも２つのＨＡＲＱ−ＡＣＫ情報に対応する候補ＰＤＳＣＨ機会が少なくとも１つ存在する。なお、時間領域伝送ユニットには、１つのＨＡＲＱ−ＡＣＫ情報に対応する候補ＰＤＳＣＨ機会が存在してもよい。
【００９７】
ネットワーク機器は、異なるトラフィックのＰＤＳＣＨを、同一の候補ＰＤＳＣＨ機会の異なるＰＤＳＣＨ伝送位置にスケジューリングする場合、該候補ＰＤＳＣＨ機会における各ＰＤＳＣＨ時刻に対応するＡＣＫ−ＡＣＫ情報によって、異なるトラフィックのＰＤＳＣＨの伝送フィードバックを行うことができ、これにより、同時に受信される複数のトラフィック伝送に対するフィードバックを実現し、異なるトラフィックの同時伝送の信頼性を向上させることができる。
【００９８】
ここで、上記ＨＡＲＱ−ＡＣＫコードブックは、ｎ＊Ｍ個のＨＡＲＱ−ＡＣＫ情報を含む。ここで、Ｍは、時間領域送信ユニット内で非オーバーラップの候補ＰＤＳＣＨ機会の数であり、ｎは時間領域送信ユニット内の各候補ＰＤＳＣＨ機会に対応するＨＡＲＱ−ＡＣＫ情報の数である。この方式では、時間領域伝送ユニット内の各候補ＰＤＳＣＨに実際に対応するＨＡＲＱ−ＡＣＫ情報の数は、同じである。ｎ値の決定は、以下の方式を含むが、これに限定されない。ｎは予め定義された数値であり、例えばプロトコルではｎを２に定義する。又は、ｎは端末能力に応じて決定される数値である。例えば端末が２種類のトラフィックのＰＤＳＣＨの受信をサポートできる場合、ｎは２であると決定される。又は、ｎは時間領域送信ユニット内でＰＤＳＣＨ伝送位置を最も多く含むターゲット候補ＰＤＳＣＨ機会に含まれるＰＤＳＣＨ伝送位置の数である。例えば、時間領域送信ユニット内の候補ＰＤＳＣＨ機会１及び３に１つのＰＤＳＣＨ伝送位置を含み、候補ＰＤＳＣＨ機会２に２つのＰＤＳＣＨを含む場合、ｎは２である。
【００９９】
ここで、上記ＨＡＲＱ−ＡＣＫコードブックは、
【０１００】
【数６】
2021524202.tif 000008
個のＨＡＲＱ−ＡＣＫ情報を含み、ここで、Ｍは、時間領域伝送ユニット内で非オーバーラップの候補ＰＤＳＣＨ機会の数であり、ｎｍは、ｍ番目の候補ＰＤＳＣＨ機会に対応するＨＡＲＱ−ＡＣＫ情報の数である。この方式では、時間領域伝送ユニット内の各候補ＰＤＳＣＨに実際に対応するＨＡＲＱ−ＡＣＫ情報の数は、異なることがある。具体的には、ｎｍは、ｍ番目の候補ＰＤＳＣＨ機会に含まれるＰＤＳＣＨ伝送位置の数であり、この方式の各候補ＰＤＳＣＨ機会に対応するＨＡＲＱ−ＡＣＫ情報の数は、それが含むＰＤＳＣＨ伝送位置の数と同じである。また、ｎｍは、ｍ番目の候補ＰＤＳＣＨ機会に含まれるＰＤＳＣＨ伝送位置の数に基づいて決定されてもよい。具体的には、ｍ番目の候補ＰＤＳＣＨ機会に含まれるＰＤＳＣＨ伝送位置の数が１より大きくなると、ｎｍは、第１の値であり、ｍ番目の候補ＰＤＳＣＨ機会に含まれるＰＤＳＣＨ伝送位置の数が１であると、ｎｍは、第２の値である。ここで、第１の値及び第２の値は、予め定義されており、例えば、プロトコルにおいて、第１の値を２、第２の値を１に定義する。又は、第１の値は、端末の能力に応じて決定される。例えば、端末が２種類のトラフィックのＰＤＳＣＨの受信をサポートする場合、第１の値は、２であると決定される。
【０１０１】
ここで、上記ＨＡＲＱ−ＡＣＫコードブックにおけるＨＡＲＱ−ＡＣＫ情報の位置は、ＨＡＲＱ−ＡＣＫ情報に対応する候補ＰＤＳＣＨ機会の時間領域位置に基づいて決定される。更に、１つの候補ＰＤＳＣＨ機会に対応する複数のＨＡＲＱ−ＡＣＫ情報の位置は、この候補ＰＤＳＣＨ機会におけるＰＤＳＣＨ伝送位置の開始時間領域位置に基づいて決定される。又は、１つの候補ＰＤＳＣＨ機会に対応する複数のＨＡＲＱ−ＡＣＫ情報の位置は、トラフィックのタイプに応じて決定される。１つのＨＡＲＱ−ＡＣＫ情報は、Ｎ（Ｎは正の整数）ビットを含む。
【０１０２】
図１１に示すように、該情報伝送方法は、ステップ１１１〜１１２を含む。
【０１０３】
ステップ１１１において、時間領域伝送ユニット内でスケジューリングされるＰＤＳＣＨを送信する。
【０１０４】
ここで、送信されるＰＤＳＣＨは、同じトラフィックであってもよいし、異なるトラフィックであってもよい。ネットワーク機器が、候補ＰＤＳＣＨ機会１のＰＤＳＣＨ伝送位置１１にＵＲＬＬＣトラフィックのＰＤＳＣＨをスケジューリングし、候補ＰＤＳＣＨ機会１のＰＤＳＣＨ伝送位置１２にｅＭＢＢトラフィックのＰＤＳＣＨをスケジューリングすると仮定する。
【０１０５】
ステップ１１２において、時間領域伝送ユニット内で非オーバーラップの候補ＰＤＳＣＨ機会に対応するＨＡＲＱ−ＡＣＫコードブックを受信する。
【０１０６】
端末が決定したＨＡＲＱ−ＡＣＫコードブックにｎ（ｎ＝２）＊Ｍ個のＨＡＲＱ−ＡＣＫ情報が含まれると、ｅＭＢＢトラフィックに対応するＰＤＳＣＨ伝送位置１２は、ＡＣＫ／ＮＡＣＫ１１に対応し、ＵＲＬＬＣトラフィックに対応するＰＤＳＣＨ伝送位置１１は、ＡＣＫ／ＮＡＣＫ１２に対応する。端末は、受信成功フィードバックＡＣＫ、受信未成功フィードバックＮＡＣＫなど、ｅＭＢＢトラフィックのＰＤＳＣＨの実際の受信状態に応じてＡＣＫ／ＮＡＣＫ１１をパディングする。受信成功フィードバックＡＣＫ、受信未成功フィードバックＮＡＣＫなど、ＵＲＬＬＣトラフィックのＰＤＳＣＨの実際の受信状態に応じてＡＣＫ／ＮＡＣＫ１２をパディングする。なお、端末は、ネットワーク機器がスケジューリングしない候補ＰＤＳＣＨ機会２及び候補ＰＤＳＣＨ機会３に対応するＨＡＲＱ−ＡＣＫ情報（ＡＣＫ／ＮＡＣＫ２１、ＡＣＫ／ＮＡＣＫ２２、ＡＣＫ／ＮＡＣＫ３１など）に対して特別な形式でパディングを行うことができる。このように、ネットワーク機器は、端末からフィードバックされたＨＡＲＱ−ＡＣＫコードブックを解析することによって、スケジューリングされるＰＤＳＣＨの伝送状態を決定し、ダウンリンク伝送の信頼性を保証することができる。
【０１０７】
本開示の実施例に係る情報伝送方法によれば、端末が複数のトラフィックの同時スケジューリング及び受信をサポートするシナリオにおいて、ネットワーク機器は、同時に受信された複数のトラフィック伝送のフィードバック情報を端末から受信し、異なるトラフィックの同時伝送の信頼性を高めることができる。
【０１０８】
以上の実施例は、異なるシナリオでの情報伝送方法をそれぞれ詳細に紹介したが、以下、更に図面を参照して、それに対応するネットワーク機器について紹介する。
【０１０９】
図１２に示すように、本開示の実施例に係るネットワーク機器１２００は、実施例における、時間領域伝送ユニット内で非オーバーラップの候補物理ダウンリンク共有チャネルＰＤＳＣＨ機会に対応するＨＡＲＱ−ＡＣＫコードブックを受信する方法を具現化し、同じ効果を奏することもできる。ここで、前記時間領域伝送ユニット内の少なくとも１つの前記候補ＰＤＳＣＨ機会が少なくとも２つのＨＡＲＱ−ＡＣＫ情報に対応する。該ネットワーク機器１２００は、具体的には、時間領域伝送ユニット内で非オーバーラップの候補物理ダウンリンク共有チャネルＰＤＳＣＨ機会に対応するＨＡＲＱ−ＡＣＫコードブックを受信する受信モジュール１２１０を含む。ここで、時間領域伝送ユニット内の少なくとも１つの候補ＰＤＳＣＨ機会が少なくとも２つのＨＡＲＱ−ＡＣＫ情報に対応する。
【０１１０】
ここで、ＨＡＲＱ−ＡＣＫコードブックは、ｎ＊Ｍ個のＨＡＲＱ−ＡＣＫ情報を含み、ここで、Ｍは、時間領域送信ユニット内で非オーバーラップの候補ＰＤＳＣＨ機会の数であり、ｎは時間領域送信ユニット内の各候補ＰＤＳＣＨ機会に対応するＨＡＲＱ−ＡＣＫ情報の数である。
【０１１１】
ここで、ｎは予め定義された数値であり、又は、ｎは端末能力に応じて決定される数値であり、又は、ｎは時間領域送信ユニット内でＰＤＳＣＨ伝送位置を最も多く含むターゲット候補ＰＤＳＣＨ機会に含まれるＰＤＳＣＨ伝送位置の数である。
【０１１２】
ここで、ＨＡＲＱ−ＡＣＫコードブックは、
【０１１３】
【数７】
2021524202.tif 000009
個のＨＡＲＱ−ＡＣＫ情報を含み、Ｍは、時間領域伝送ユニット内で非オーバーラップの候補ＰＤＳＣＨ機会の数であり、ｎｍは、ｍ番目の候補ＰＤＳＣＨ機会に対応するＨＡＲＱ−ＡＣＫ情報の数である。
【０１１４】
ここで、ｎｍは、ｍ番目の候補ＰＤＳＣＨ機会に含まれるＰＤＳＣＨ伝送位置の数である。
【０１１５】
ここで、ｍ番目の候補ＰＤＳＣＨ機会に含まれるＰＤＳＣＨ伝送位置の数が１より大きくなると、ｎｍは、第１の値であり、ｍ番目の候補ＰＤＳＣＨ機会に含まれるＰＤＳＣＨ伝送位置の数が１であると、ｎｍは、第２の値である。
【０１１６】
ここで、第１の値と第２の値は、予め定義され、又は、第１の値は、端末能力に応じて決定される。
【０１１７】
ここで、ＨＡＲＱ−ＡＣＫ情報は、Ｎ（正の整数）ビットを含む。
【０１１８】
ここで、ＨＡＲＱ−ＡＣＫコードブック内のＨＡＲＱ−ＡＣＫ情報の位置は、ＨＡＲＱ−ＡＣＫ情報に対応する候補ＰＤＳＣＨ機会の時間領域位置に基づいて決定される。
【０１１９】
ここで、時間領域伝送ユニットは、少なくとも１つのスロットを含む。
【０１２０】
なお、以上のネットワーク機器及び端末の各モジュールの分割は、あくまでも論理的機能の分割であり、実際の実現においては、全部又は一部が１つの物理的実体に統合されてもよいし、物理的に分離されてもよい。これらのモジュールは、全てソフトウェアで処理素子によって呼び出される形態で実現されてもよいし、全てハードウェアとして実現されてもよいし、更に、一部のモジュールを処理素子呼び出しソフトウェア、一部のモジュールをハードウェアとして実現することも可能である。例えば、決定モジュールは、個別に設けられた処理素子であってもよいし、上記装置のいずれかのチップに集積されて実現されてもよく、また、プログラムコードの形態で上記装置のメモリに記憶され、上記装置のいずれかの処理素子によって上記決定モジュールの機能が呼び出されて実行されるようにしてもよい。他のモジュールの実現は、同様である。また、これらのモジュールは、全部又は一部が一体化されていてもよいし、独立して実現されていてもよい。ここでいう処理素子とは、信号の処理能力を有する集積回路のことである。実施において、上記方法の各ステップ又は上記の各モジュールは、プロセッサ素子内のハードウェアの集積論理回路又はソフトウェア形態の命令によって実行されてもよい。
【０１２１】
例えば、上記モジュールは、上記方法を実施するように構成された１つ又は複数の集積回路、例えば、１つ又は複数の特定の集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣと略称される）、１つ又は複数のマイクロプロセッサ（ｄｉｇｉｔａｌ  ｓｉｇｎａｌ  ｐｒｏｃｅｓｓｏｒ、ＤＳＰと略称される）、又は１つ又は複数のフィールドプログラマブルゲートアレイ（Ｆｉｅｌｄ  Ｐｒｏｇｒａｍｍａｂｌｅ  Ｇａｔｅ  Ａｒｒａｙ、ＦＰＧＡと略称される）などである。また、上記モジュールが、処理素子でプログラムコードを呼び出す形態で実現される場合、この処理素子は、中央処理装置（Ｃｅｎｔｒａｌ  Ｐｒｏｃｅｓｓｉｎｇ  Ｕｎｉｔ、ＣＰＵと略称される）などの汎用プロセッサ、又は、プログラムコードを呼び出すことができる他のプロセッサである。また、これらのモジュールは、一体化されてシステムオンチップ（ｓｙｓｔｅｍ−ｏｎ−ａ−ｃｈｉｐ、ＳＯＣと略称される）の形態で実現されてもよい。
【０１２２】
なお、本開示の実施例に係るネットワーク機器は、端末が複数のトラフィックの同時スケジューリング及び受信をサポートするシナリオにおいて、同時に受信された複数のトラフィック伝送のフィードバック情報を端末から受信し、異なるトラフィックの同時伝送の信頼性を高めることができる。
【０１２３】
上記目的をよりよく実現するために、本開示の実施例は、プロセッサと、メモリと、メモリに格納されてプロセッサで動作可能なコンピュータプログラムを含むネットワーク機器を更に提供し、プロセッサがコンピュータプログラムを実行すると、上記の情報伝送方法が実現される。発明の実施例は、コンピュータプログラムが格納されているコンピュータ読み取り可能な記憶媒体を更に提供し、コンピュータプログラムがプロセッサによって実行されると、上記の情報伝送方法が実現される。
【０１２４】
具体的には、本開示の実施例は、ネットワーク機器を更に提供する。図１３に示すように、該ネットワーク機器１３００は、アンテナ１３１と、ラジオ周波数装置１３２と、ベースバンド装置１３３を含む。アンテナ１３１は、ラジオ周波数装置１３２に接続される。上り方向で、ラジオ周波数装置１３２は、アンテナ１３１を介して情報を受信し、受信した情報をベースバンド装置１３３に送信して処理する。下り方向で、ベースバンド装置１３３は、送信すべき情報を処理してラジオ周波数装置１３２に送信する。ラジオ周波数装置１３２は、受信した情報を処理してアンテナ１３１を介して送信する。
【０１２５】
上記周波数バンド処理装置は、ベースバンド装置１３３に位置してもよく、上記実施例でネットワーク機器によって実行される方法は、ベースバンド装置１３３で実現可能である。このベースバンド装置１３３は、プロセッサ１３４とメモリ１３５を含む。
【０１２６】
ベースバンド装置１３３は、例えば少なくとも１つのベースバンドボードを含む。このベースバンドボードには、複数のチップが設けられている。図１３に示すように、そのうちの１つのチップは、例えばプロセッサ１３４である。プロセッサ１３４は、メモリ１３５に接続され、メモリ１３５の中のプログラムを呼び出すことによって、上記実施例に示される操作を実行する。
【０１２７】
このベースバンド装置１３３は、ラジオ周波数装置１３２との情報のやり取りに用いられるネットワークインターフェース１３６を更に含んでもよい。このインタフェースは、例えば汎用共通無線インタフェースＣＰＲＩ（ｃｏｍｍｏｎ  ｐｕｂｌｉｃ  ｒａｄｉｏ  ｉｎｔｅｒｆａｃｅ）である。
【０１２８】
ここのプロセッサは、１つのプロセッサであってもよく、複数の処理素子の総称であってもよい。例えば、このプロセッサは、ＣＰＵであってもよく、ＡＳＩＣであってもよく、又は、上記のネットワーク機器によって実行される方法を実施するために構成される１つ又は複数の集積回路、例えば、１つ又は複数の特定の集積回路、例えば１つ又は複数のマイクロプロセッサ、１つ又は複数のＤＳＰ、又は１つ又は複数のフィールドプログラマブルゲートアレイＦＰＧＡなどである。記憶素子は、１つのメモリであってもよく、複数の記憶素子の総称であってもよい。
【０１２９】
メモリ１３５は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のメモリ１３５は、これらに限られず、これら及びこれら以外の任意の適合する種類のメモリを含むとする。
【０１３０】
具体的には、本開示の実施例に係るネットワーク機器は、メモリ１３５に記憶され、プロセッサ１３４で動作可能なコンピュータプログラムを更に含む。プロセッサ１３４は、メモリ１３５の中のコンピュータプログラムを呼び出すと、図３に示す各モジュールによって実行される方法を実行する。
【０１３１】
具体的には、コンピュータプログラムがプロセッサ１３４によって呼び出されると、時間領域伝送ユニット内で非オーバーラップの候補物理ダウンリンク共有チャネルＰＤＳＣＨ機会に対応するＨＡＲＱ−ＡＣＫコードブックを受信し、ここで、時間領域伝送ユニット内の少なくとも１つの候補ＰＤＳＣＨ機会が少なくとも２つのＨＡＲＱ−ＡＣＫ情報に対応する。
【０１３２】
ここで、ＨＡＲＱ−ＡＣＫコードブックは、ｎ＊Ｍ個のＨＡＲＱ−ＡＣＫ情報を含み、ここで、Ｍは、時間領域送信ユニット内で非オーバーラップの候補ＰＤＳＣＨ機会の数であり、ｎは時間領域送信ユニット内の各候補ＰＤＳＣＨ機会に対応するＨＡＲＱ−ＡＣＫ情報の数である。
【０１３３】
ここで、ｎは予め定義された数値であり、又は、ｎは端末能力に応じて決定される数値であり、又は、ｎは時間領域送信ユニット内でＰＤＳＣＨ伝送位置を最も多く含むターゲット候補ＰＤＳＣＨ機会に含まれるＰＤＳＣＨ伝送位置の数である。
【０１３４】
ここで、ＨＡＲＱ−ＡＣＫコードブックは、
【０１３５】
【数８】
2021524202.tif 000010
個のＨＡＲＱ−ＡＣＫ情報を含み、ここで、Ｍは、時間領域伝送ユニット内で非オーバーラップの候補ＰＤＳＣＨ機会の数であり、ｎｍは、ｍ番目の候補ＰＤＳＣＨ機会に対応するＨＡＲＱ−ＡＣＫ情報の数である。
【０１３６】
ここで、ｎｍは、ｍ番目の候補ＰＤＳＣＨ機会に含まれるＰＤＳＣＨ伝送位置の数である。
【０１３７】
ここで、ｍ番目の候補ＰＤＳＣＨ機会に含まれるＰＤＳＣＨ伝送位置の数が１より大きくなると、ｎｍは、第１の値であり、ｍ番目の候補ＰＤＳＣＨ機会に含まれるＰＤＳＣＨ伝送位置の数が１であると、ｎｍは、第２の値である。
【０１３８】
ここで、第１の値と第２の値は、予め定義され、又は、第１の値は、端末能力に応じて決定される。
【０１３９】
ここで、ＨＡＲＱ−ＡＣＫ情報は、Ｎ（正の整数）ビットを含む。
【０１４０】
ここで、ＨＡＲＱ−ＡＣＫコードブック内のＨＡＲＱ−ＡＣＫ情報の位置は、ＨＡＲＱ−ＡＣＫ情報に対応する候補ＰＤＳＣＨ機会の時間領域位置に基づいて決定される。
【０１４１】
ここで、時間領域伝送ユニットは、少なくとも１つのスロットを含む。
【０１４２】
ここで、ネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局ＢＴＳ（Ｂａｓｅ  Ｔｒａｎｓｃｅｉｖｅｒ  Ｓｔａｔｉｏｎ）であってもよく、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局ＮＢ（ＮｏｄｅＢ）であってもよく、更に、ＬＴＥにおけるｅＮＢ又はｅＮｏｄｅＢ（Ｅｖｏｌｕｔｉｏｎａｌ  Ｎｏｄｅ  Ｂ）であってもよく、又は中継局やアクセスポイントであり、又は将来の５Ｇネットワークにおける基地局などであり、ここでは限定されない。
【０１４３】
本開示の実施例に係るネットワーク機器は、端末が複数のトラフィックの同時スケジューリング及び受信をサポートするシナリオにおいて、同時に受信された複数のトラフィック伝送のフィードバック情報を端末から受信し、異なるトラフィックの同時伝送の信頼性を高めることができる。
【０１４４】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１４５】
記載の利便性や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１４６】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１４７】
以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに位置してもよい。実際の必要に応じてそのうちの一部又はすべてのユニットを選択して本開示の実施例の目的を実現する。
【０１４８】
また、本開示の各実施例における各機能的ユニットは、１つの処理ユニットに一体化されていてもよいし、物理的に別々に設けられていてもよいし、２つ以上が一体化されてもよい。
【０１４９】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク機器であってもよい）に実行させるいくつかの指令を含む。前記記憶媒体は、Ｕディスク、モバイルハードディスク、ＲＯＭ、ＲＡＭ、磁気ディスク又は光ディスクなど、プログラムコードを格納することができる様々な媒体を含む。
【０１５０】
また、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。具体的な実施例と結び付けて本開示の基本的な原理を記載した。当業者にとって、本開示の方法及び装置のすべて又は任意のステップや部品は、任意の計算装置（プロセッサ、記憶媒体などを含む）や計算装置のネットワークでハードウェア、ファームウェア、ソフトウェア又はそれらの組み合わせによって実現されうることが理解できる。これは、当業者が本開示の説明を閲読して基本的なプログラミング技能を活用して実現できることである。
【０１５１】
従って、本開示の目的は、任意の計算装置で１つ又は一連のプログラムを実行することによっても実現されうる。前記計算装置は、周知されている汎用装置である。したがって、本開示の目的は、前記方法又は装置を実現するプログラムコードを含むプログラムプロダクトの提供のみでも実現されうる。即ち、このようなプログラムプロダクトも本開示を構成し、しかもこのようなプログラムプロダクトを記憶した記憶媒体も本開示を構成する。明らかに、前記記憶媒体は、任意の周知される記憶媒体又は将来開発されうる任意の記憶媒体である。なお、本開示の装置と方法において、各部品又は各ステップは、分解及び／又は再度の組み合わせが可能である。これらの分解及び／又は再度の組み合わせは、本開示の同等効果手段と見なされるべきである。しかも、上記一連の処理を実行するステップは、自然に説明順に時間順で実行されるが、必ず時間順に実行される必要がない。一部のステップは、並行に実行されてもよく、又は、互いに独立に実行されてもよい。
【０１５２】
以上に記載されたのは、本開示の選択可能な実施形態である。なお、当業者は、本開示に記載されている原理を逸脱せずに様々な改良や修飾をすることもできる。これらの改良や修飾も、本開示の保護範囲内にある。
【図１】
2021524202.tif 000013
【図２】
2021524202.tif 000014
【図３】
2021524202.tif 000015
【図４】
2021524202.tif 000016
【図５】
2021524202.tif 000017
【図６】
2021524202.tif 000018
【図７】
2021524202.tif 000019
【図８】
2021524202.tif 000020
【図９】
2021524202.tif 000021
【図１０】
2021524202.tif 000022
【図１１】
2021524202.tif 000023
【図１２】
2021524202.tif 000024
【図１３】
2021524202.tif 000025
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
端末側に応用される情報伝送方法であって、
時間領域伝送ユニット内で非オーバーラップの候補物理ダウンリンク共有チャネルＰＤＳＣＨ機会を取得し、
前記候補物理ダウンリンク共有チャネルＰＤＳＣＨ機会に基づいて、前記時間領域伝送ユニットに対応するハイブリッド自動再送要求の応答情報ＨＡＲＱ−ＡＣＫコードブックを決定し、ここで、前記時間領域伝送ユニット内の少なくとも１つの前記候補物理ダウンリンク共有チャネルＰＤＳＣＨ機会が少なくとも２つのＨＡＲＱ−ＡＣＫ情報に対応し、
前記応答情報ＨＡＲＱ−ＡＣＫコードブックを送信する、情報伝送方法。
【請求項２】
前記応答情報ＨＡＲＱ−ＡＣＫコードブックは、ｎ＊Ｍ個のＨＡＲＱ−ＡＣＫ情報を含み、ここで、Ｍは、前記時間領域伝送ユニット内で非オーバーラップの候補物理ダウンリンク共有チャネルＰＤＳＣＨ機会の数であり、ｎは、前記時間領域伝送ユニット内の各候補物理ダウンリンク共有チャネルＰＤＳＣＨ機会に対応するＨＡＲＱ−ＡＣＫ情報の数である、請求項１に記載の情報伝送方法。
【請求項３】
ｎは、予め定義された数値であり、又は、
ｎは、端末能力に応じて決定される数値であり、又は、
ｎは、前記時間領域伝送ユニット内でＰＤＳＣＨ伝送位置を最も多く含むターゲット候補物理ダウンリンク共有チャネルＰＤＳＣＨ機会に含まれるＰＤＳＣＨ伝送位置の数である、請求項２に記載の情報伝送方法。
【請求項４】
前記応答情報ＨＡＲＱ−ＡＣＫコードブックは、
【数１】
2021524202.tif 000026
個のＨＡＲＱ−ＡＣＫ情報を含み、ここで、Ｍは、前記時間領域伝送ユニット内で非オーバーラップの候補物理ダウンリンク共有チャネルＰＤＳＣＨ機会の数であり、ｎｍは、ｍ番目の候補物理ダウンリンク共有チャネルＰＤＳＣＨ機会に対応するＨＡＲＱ−ＡＣＫ情報の数である、請求項１に記載の情報伝送方法。
【請求項５】
ｎｍは、前記ｍ番目の候補物理ダウンリンク共有チャネルＰＤＳＣＨ機会に含まれるＰＤＳＣＨ伝送位置の数である、請求項４に記載の情報伝送方法。
【請求項６】
前記ｍ番目の候補物理ダウンリンク共有チャネルＰＤＳＣＨ機会に含まれるＰＤＳＣＨ伝送位置の数が１より大きくなると、前記ｎｍは、第１の値であり、
前記ｍ番目の候補物理ダウンリンク共有チャネルＰＤＳＣＨ機会に含まれるＰＤＳＣＨ伝送位置の数が１であると、前記ｎｍは、第２の値である、請求項４に記載の情報伝送方法。
【請求項７】
前記応答情報ＨＡＲＱ−ＡＣＫコードブック内のＨＡＲＱ−ＡＣＫ情報の位置は、前記ＨＡＲＱ−ＡＣＫ情報に対応する候補ＰＤＳＣＨ機会の時間領域位置に基づいて決定される、請求項１に記載の情報伝送方法。
【請求項８】
端末であって、
時間領域伝送ユニット内で非オーバーラップの候補物理ダウンリンク共有チャネルＰＤＳＣＨ機会を取得する取得モジュールと、
前記候補物理ダウンリンク共有チャネルＰＤＳＣＨ機会に基づいて、前記時間領域伝送ユニットに対応するハイブリッド自動再送要求の応答情報ＨＡＲＱ−ＡＣＫコードブックを決定する（ここで、前記時間領域伝送ユニット内の少なくとも１つの前記候補物理ダウンリンク共有チャネルＰＤＳＣＨ機会が少なくとも２つのＨＡＲＱ−ＡＣＫ情報に対応する）決定モジュールと、
前記応答情報ＨＡＲＱ−ＡＣＫコードブックを送信する送信モジュールとを含む、端末。
【請求項９】
前記応答情報ＨＡＲＱ−ＡＣＫコードブックは、ｎ＊Ｍ個のＨＡＲＱ−ＡＣＫ情報を含み、ここで、Ｍは、前記時間領域伝送ユニット内で非オーバーラップの候補物理ダウンリンク共有チャネルＰＤＳＣＨ機会の数であり、ｎは、前記時間領域伝送ユニット内の各候補物理ダウンリンク共有チャネルＰＤＳＣＨ機会に対応するＨＡＲＱ−ＡＣＫ情報の数である、請求項８に記載の端末。
【請求項１０】
ｎは、予め定義された数値であり、又は、
ｎは、端末能力に応じて決定される数値であり、又は、
ｎは、前記時間領域伝送ユニット内でＰＤＳＣＨ伝送位置を最も多く含むターゲット候補物理ダウンリンク共有チャネルＰＤＳＣＨ機会に含まれるＰＤＳＣＨ伝送位置の数である、請求項９に記載の端末。
【請求項１１】
前記応答情報ＨＡＲＱ−ＡＣＫコードブック内のＨＡＲＱ−ＡＣＫ情報の位置は、前記ＨＡＲＱ−ＡＣＫ情報に対応する候補物理ダウンリンク共有チャネルＰＤＳＣＨ機会の時間領域位置に基づいて決定される、請求項８に記載の端末。
【請求項１２】
ネットワーク機器側に応用される情報伝送方法であって、
時間領域伝送ユニット内で非オーバーラップの候補物理ダウンリンク共有チャネルＰＤＳＣＨ機会に対応する応答情報ＨＡＲＱ−ＡＣＫコードブックを受信し、ここで、前記時間領域伝送ユニット内の少なくとも１つの前記候補物理ダウンリンク共有チャネルＰＤＳＣＨ機会が少なくとも２つのＨＡＲＱ−ＡＣＫ情報に対応する、情報伝送方法。
【請求項１３】
ネットワーク機器であって、
時間領域伝送ユニット内で非オーバーラップの候補物理ダウンリンク共有チャネルＰＤＳＣＨ機会に対応する応答情報ＨＡＲＱ−ＡＣＫコードブックを受信する受信モジュールを含み、ここで、前記時間領域伝送ユニット内の少なくとも１つの前記候補物理ダウンリンク共有チャネルＰＤＳＣＨ機会が少なくとも２つのＨＡＲＱ−ＡＣＫ情報に対応する、ネットワーク機器。
【請求項１４】
前記応答情報ＨＡＲＱ−ＡＣＫコードブックは、ｎ＊Ｍ個のＨＡＲＱ−ＡＣＫ情報を含み、ここで、Ｍは、前記時間領域伝送ユニット内で非オーバーラップの候補物理ダウンリンク共有チャネルＰＤＳＣＨ機会の数であり、ｎは、前記時間領域伝送ユニット内の各候補物理ダウンリンク共有チャネルＰＤＳＣＨ機会に対応するＨＡＲＱ−ＡＣＫ情報の数であり、
又は、
前記応答情報ＨＡＲＱ−ＡＣＫコードブックは、
【数２】
2021524202.tif 000027
個のＨＡＲＱ−ＡＣＫ情報を含み、ここで、Ｍは、前記時間領域伝送ユニット内で非オーバーラップの候補物理ダウンリンク共有チャネルＰＤＳＣＨ機会の数であり、ｎｍは、ｍ番目の候補物理ダウンリンク共有チャネルＰＤＳＣＨ機会に対応するＨＡＲＱ−ＡＣＫ情報の数である、請求項１３に記載のネットワーク機器。
【請求項１５】
前記ＨＡＲＱ−ＡＣＫ情報は、Ｎ（正の整数）ビットを含み、
又は、
前記応答情報ＨＡＲＱ−ＡＣＫコードブック内のＨＡＲＱ−ＡＣＫ情報の位置は、前記ＨＡＲＱ−ＡＣＫ情報に対応する候補物理ダウンリンク共有チャネルＰＤＳＣＨ機会の時間領域位置に基づいて決定される、請求項１３に記載のネットワーク機器。
【請求項１６】
プログラムが格納されているコンピュータ読み取り可能な記憶媒体であって、
前記プログラムがプロセッサによって実行されると、以下の端末側に応用される情報伝送方法が実現され、この方法は、
時間領域伝送ユニット内で非オーバーラップの候補物理ダウンリンク共有チャネルＰＤＳＣＨ機会を取得することと、
前記候補物理ダウンリンク共有チャネルＰＤＳＣＨ機会に基づいて、前記時間領域伝送ユニットに対応するハイブリッド自動再送要求の応答情報ＨＡＲＱ−ＡＣＫコードブックを決定する（ここで、前記時間領域伝送ユニット内の少なくとも１つの前記候補物理ダウンリンク共有チャネルＰＤＳＣＨ機会が少なくとも２つのＨＡＲＱ−ＡＣＫ情報に対応する）ことと、
前記応答情報ＨＡＲＱ−ＡＣＫコードブックを送信することを含み、
又は、前記プログラムがプロセッサによって実行されると、以下のネットワーク機器に応用される
情報伝送方法が実現され、この方法は、
時間領域伝送ユニット内で非オーバーラップの候補物理ダウンリンク共有チャネルＰＤＳＣＨ機会に対応する応答情報ＨＡＲＱ−ＡＣＫコードブックを受信する受信モジュールを含み、ここで、前記時間領域伝送ユニット内の少なくとも１つの前記候補物理ダウンリンク共有チャネルＰＤＳＣＨ機会が少なくとも２つのＨＡＲＱ−ＡＣＫ情報に対応することを含む、コンピュータ読み取り可能な記憶媒体。
【国際調査報告】
2021524202.tif 000028
2021524202.tif 000029
2021524202.tif 000030
2021524202.tif 000031